(57)【要約】本技術は、他の驚くべき特徴の中でも、ディーゼル燃料、航空燃料、ジェット燃料ブレンドストック、ディーゼル燃料の曇り点を低減するブレンドストック、ポータブル加熱器用燃料、および／または木炭ライター流体としての使用に適し得る、少なくとも約９８重量パーセント（「重量％」）のｎ−パラフィンを含む組成物を提供する。組成物は、少なくとも約９８重量％のＣ７〜Ｃ１２ｎ−パラフィンを含み、組成物の少なくとも約１０重量％はｎ−デカンを含み、組成物の少なくとも約２０重量％はｎ−ドデカンを含み、組成物の少なくとも約７５重量％は偶数炭素数パラフィンを含む。組成物は、約０．１重量％未満の酸素化物および約０．１重量％未満の芳香族も含む。組成物は、パーム核油、ヤシ油、ババス油、微生物油、または藻類油のうちの少なくとも１つを含むバイオ再生可能フィードストックを水素化処理することを含むプロセスによって生成され得る。【選択図】なし【特許請求の範囲】
【請求項１】
組成物の少なくとも約１０重量％がｎ−デカンを含み、組成物の少なくとも約２０重量％がｎ−ドデカンを含み、組成物の少なくとも約７５重量％が偶数炭素数パラフィンを含む、少なくとも約９８重量％のＣ７〜Ｃ１２ｎ−パラフィンと、
約０．１重量％未満の酸素化物と、
約０．１重量％未満の芳香族と
を含む、組成物。
【請求項２】
組成物の少なくとも約７５重量％が、偶数炭素数ｎ−パラフィンを含む、請求項１に記載の組成物。
【請求項３】
前記組成物が、少なくとも約９９重量％のＣ７〜Ｃ１２ｎ−パラフィンを含む、請求項１または請求項２に記載の組成物。
【請求項４】
前記組成物が、少なくとも約９９．５重量％のＣ７〜Ｃ１２ｎ−パラフィンを含む、請求項１または請求項２に記載の組成物。
【請求項５】
前記組成物が、約０．０１重量％未満の酸素化物を含む、請求項１または請求項２に記載の組成物。
【請求項６】
前記組成物の少なくとも約２０重量％が、ｎ−オクタンを含む、請求項１または請求項２に記載の組成物。
【請求項７】
Ｃ１２パラフィン対Ｃ７パラフィンの重量比が、約１５０：１以上である、請求項１または請求項２に記載の組成物。
【請求項８】
Ｃ１２パラフィン対Ｃ９パラフィンの重量比が、約１０：１以上である、請求項１または請求項２に記載の組成物。
【請求項９】
Ｃ１２パラフィン対Ｃ１１パラフィンの重量比が、約３．０：１〜約１．２：１である、請求項１または請求項２に記載の組成物。
【請求項１０】
Ｃ１０パラフィン対Ｃ７パラフィンの重量比が、約１５０：１以上である、請求項１または請求項２に記載の組成物。
【請求項１１】
Ｃ１０パラフィン対Ｃ９パラフィンの重量比が、約１０：１以上である、請求項１または請求項２に記載の組成物。
【請求項１２】
Ｃ１０パラフィン対Ｃ１１パラフィンの重量比が、約２．０：１〜約０．５：１である、請求項１または請求項２に記載の組成物。
【請求項１３】
Ｃ１２パラフィン対Ｃ１０パラフィンの重量比が、約２．０：１〜約０．５：１である、請求項１または請求項２に記載の組成物。
【請求項１４】
前記組成物が、パーム核油、ヤシ油、ババス油、微生物油、または藻類油のうちの少なくとも１つを含むバイオ再生可能フィードストックを水素化処理することによって生成される、請求項１または請求項２に記載の組成物。
【請求項１５】
前記組成物が、ディーゼル燃料、ディーゼル燃料添加剤、ディーゼル燃料ブレンドストック、タービン燃料、タービン燃料添加剤、タービン燃料ブレンドストック、航空燃料、航空燃料添加剤、航空燃料ブレンドストック、ポータブル加熱器用燃料、ポータブル発電機用燃料、木炭ライター流体、またはこれらのいずれか２つ以上の組み合わせとして適している、請求項１または請求項２に記載の組成物。
【請求項１６】
木材チャー、
バインダー、
木炭の外面、および
任意で木炭内の複数の細孔
を含む、木炭と、
少なくとも前記木炭の前記外面上に配置された請求項１または請求項２に記載の組成物と
を含む、木炭加熱材料。
【請求項１７】
前記組成物が、前記複数の細孔の少なくとも一部分の内部にさらに配置される、請求項１６に記載の木炭加熱材料。
【請求項１８】
前記木炭が、チャー製造から生じるおがくずおよび微粉のうちの１つ以上をさらに含む、請求項１６に記載の木炭加熱材料。
【請求項１９】
前記木炭加熱材料が、木炭ブリケットまたは木炭ログである、請求項１６に記載の木炭加熱材料。
【請求項２０】
請求項１に記載の組成物を生成する方法であって、前記方法が、
バイオ再生可能フィードストックを含むフィードストリームを固定床水素化処理反応器において水素化処理触媒と接触させて水素化処理生成物を生成することと、
前記水素化処理生成物を分留して前記組成物を生成することと
を含み、
前記バイオ再生可能フィードストックが、パーム核油、ヤシ油、ババス油、微生物油、または藻類油のうちの少なくとも１つを含み、
前記固定床水素化処理反応器が、
約７５０°Ｆ未満の温度であり、
約２００ｐｓｉｇ〜約４，０００ｐｓｉｇの圧力である、方法。
【請求項２１】
前記固定床水素化処理反応器を通る前記バイオ再生可能フィードストックの時間あたりの液空間速度が、約０．２ｈｒ−１〜約１０．０ｈｒ−１である、請求項２０に記載の方法。
【請求項２２】
前記バイオ再生可能フィードストックが、動物性脂肪、動物性油、植物性脂肪、植物性油、植物脂肪、植物油、またはグリースをさらに含む、請求項２０に記載の方法。
【請求項２３】
前記バイオ再生可能フィードストックが、動物性脂肪、家禽油、大豆油、キャノーラ油、カリナタ油、ナタネ油、パーム油、ヤトロファ油、ヒマシ油、カメリナ油、海藻油、好塩性生物油、精製脂肪、レストラングリース、ブラウングリース、イエローグリース、廃工業用揚げ油、魚油、トール油、およびトール油脂肪酸のうちの１つ以上をさらに含む、請求項２０に記載の方法。
【請求項２４】
前記バイオ再生可能フィードストックが、カリナタ油、動物性脂肪、レストラングリース、ブラウングリース、イエローグリース、および廃工業用揚げ油のうちの１つ以上をさらに含む、請求項２０に記載の方法。
【請求項２５】
前記フィードストリームが、希釈剤をさらに含み、希釈剤対バイオ再生可能フィードストックの体積比が、約０．５：１〜約２０：１の範囲内に含まれる、請求項２０に記載の方法。
【請求項２６】
前記方法が、前記水素化処理生成物を分留して、前記組成物と、少なくとも約９０重量％のＣ１４〜Ｃ２２ｎ−パラフィンを含む１つ以上のＣ１４〜Ｃ２２ｎ−パラフィン留分とを生成することを含む、請求項２０に記載の方法。
【請求項２７】
前記１つ以上のＣ１４〜Ｃ２２ｎ−パラフィン留分が、少なくとも約９０重量％のＣ１４〜Ｃ１６ｎ−パラフィンを含む留分を含む、請求項２６に記載の方法。
【請求項２８】
前記１つ以上のＣ１４〜Ｃ２２ｎ−パラフィン留分が、少なくとも約９０重量％のＣ１４〜Ｃ１８ｎ−パラフィンを含む留分を含む、請求項２６に記載の方法。
【請求項２９】
前記１つ以上のＣ１４〜Ｃ２２ｎ−パラフィン留分が、少なくとも約９０重量％のＣ１６〜Ｃ１８ｎ−パラフィンを含む留分を含む、請求項２６に記載の方法。
【請求項３０】
前記１つ以上のＣ１４〜Ｃ２２ｎ−パラフィン留分が、少なくとも約９０重量％のＣ１８〜Ｃ２０ｎ−パラフィンを含む留分を含む、請求項２６に記載の方法。
【請求項３１】
前記１つ以上のＣ１４〜Ｃ２２ｎ−パラフィン留分が、少なくとも約９０重量％のｎ−テトラデカンを含む留分を含む、請求項２６に記載の方法。
【請求項３２】
前記１つ以上のＣ１４〜Ｃ２２ｎ−パラフィン留分が、少なくとも約９０重量％のｎ−ヘキサデカンを含む留分を含む、請求項２６または請求項３１に記載の方法。
【請求項３３】
前記１つ以上のＣ１４〜Ｃ２２ｎ−パラフィン留分が、少なくとも約９０重量％のｎ−オクタデカンを含む留分を含む、請求項２６または請求項３１に記載の方法。
【請求項３４】
前記１つ以上のＣ１４〜Ｃ２２ｎ−パラフィン留分が、少なくとも約９０重量％のｎ−イコサンを含む留分を含む、請求項２６または請求項３１に記載の方法。
【請求項３５】
前記１つ以上のＣ１４〜Ｃ２２ｎ−パラフィン留分が、少なくとも約９０重量％のｎ−ドコサンを含む留分を含む、請求項２６または請求項３１に記載の方法。
【請求項３６】
前記方法が、前記水素化処理生成物を分留して、前記組成物と、２つ以上のＣ１４〜Ｃ２２ｎ−パラフィン留分とを生成することを含み、各Ｃ１４〜Ｃ２２ｎ−パラフィン留分が、少なくとも約９０重量％のＣ１４〜Ｃ２２ｎ−パラフィンを独立して含む、請求項２０に記載の方法。
【請求項３７】
前記２つ以上のＣ１４〜Ｃ２２ｎ−パラフィン留分が、
少なくとも約９０重量％のｎ−テトラデカンを含む留分と、
少なくとも約９０重量％のｎ−ヘキサデカンを含む留分と、
少なくとも約９０重量％のｎ−オクタデカンを含む留分と
を含む、請求項３６に記載の方法。
【請求項３８】
前記１つ以上のＣ１４〜Ｃ２２ｎ−パラフィン留分が、相変化材料として適している、請求項２０〜３０および３６〜３７のいずれか一項に記載の方法。
【請求項３９】
請求項２０〜３０および３６〜３７のいずれか一項に記載のＣ１４〜Ｃ２２ｎ−パラフィン留分を含む、相変化材料。
【請求項４０】
請求項１または請求項２に記載の組成物と、
石油系燃料および／または合成燃料と
を含む、ブレンド燃料。
【請求項４１】
前記ブレンド燃料が、約１重量％〜約８０重量％の前記組成物を含む、請求項４０に記載のブレンド燃料。
【請求項４２】
前記石油系燃料および／または合成燃料が、各々独立して、ディーゼル燃料、タービン燃料、航空燃料、またはこれらのいずれか２つ以上の組み合わせであり得る、請求項４０に記載のブレンド燃料。
【請求項４３】
前記ブレンド燃料が、約−１０℃未満の曇り点を含む、請求項４０に記載のブレンド燃料。
【請求項４４】
前記ブレンド燃料が、約−４０℃未満の析出点を含む、請求項４０に記載のブレンド燃料。
【請求項４５】
前記ブレンド燃料が、ディーゼル燃料、航空燃料、またはこれらの組み合わせである、請求項４０に記載のブレンド燃料。
【請求項４６】
前記ブレンド燃料が、ウィンターディーゼルおよび／またはアークティックディーゼル燃料としての使用に適している、請求項４０に記載のブレンド燃料。
【請求項４７】
前記ブレンド燃料が、ジェット燃料としての使用に適している、請求項４０に記載のブレンド燃料。
【請求項４８】
請求項１または請求項２に記載の組成物と石油系燃料および／または合成燃料とを組み合わせてブレンド燃料を生成することを含む、ブレンド燃料を生成するための方法。
【請求項４９】
前記ブレンド燃料が、約１重量％〜約８０重量％の前記組成物を含む、請求項４８に記載の方法。
【請求項５０】
前記ブレンド燃料が、約１体積％〜約８０体積％の前記組成物を含む、請求項４８に記載の方法。
【請求項５１】
前記石油系燃料および／または合成燃料が、各々独立して、ディーゼル燃料、タービン燃料、航空燃料、またはこれらのいずれか２つ以上の組み合わせであり得る、請求項４８に記載の方法。
【請求項５２】
前記ブレンド燃料が、約−１０℃未満の曇り点を含む、請求項４８に記載の方法。
【請求項５３】
前記ブレンド燃料が、約−４０℃未満の析出点を含む、請求項４８に記載の方法。
【請求項５４】
前記ブレンド燃料が、ディーゼル燃料、航空燃料、またはこれらの組み合わせである、請求項４８に記載の方法。
【請求項５５】
前記ブレンド燃料が、ウィンターディーゼルおよび／またはアークティックディーゼル燃料としての使用に適している、請求項４８に記載の方法。
【請求項５６】
前記ブレンド燃料が、ジェット燃料としての使用に適している、請求項４８に記載の方法。
【発明の詳細な説明】
【技術分野】
【０００１】
関連出願の相互参照
本出願は、２０１６年５月１１日に出願された米国仮特許出願第６２／３３４，９６８号の優先権の利益を主張し、その全体は、いかなるおよびすべての目的のために参照により本明細書に組み込まれる。
【０００２】
分野
本技術は、一般的には、ディーゼル燃料、ディーゼル燃料添加剤、ディーゼル燃料ブレンドストック、タービン燃料、タービン燃料添加剤、タービン燃料ブレンドストック、航空燃料、航空燃料添加剤、航空燃料ブレンドストック、ポータブル加熱器用燃料、ポータブル発電機用燃料、および／または木炭ライター流体として適した組成物に関する。より具体的には、限定するものではないが、本技術は、１つ以上のバイオ再生可能フィードストックからそのような組成物を提供する。
【背景技術】
【０００３】
背景
バイオマスは、燃料および化学物質の生成における化石原材料の再生可能代替品である。再生可能生成物およびバイオ燃料生成の増加は、政府の持続可能性戦略の一環であり、エネルギー安全保障の向上と温室効果ガスの排出削減につながる。
【発明の概要】
【０００４】
概要
ある態様では、少なくとも約９８重量％のＣ７〜Ｃ１２ｎ−パラフィンを含む組成物が提供され、組成物の少なくとも約１０重量％はｎ−デカンを含み、組成物の少なくとも約２０重量％はｎ−ドデカンを含み、組成物の少なくとも約７５重量％は偶数炭素数パラフィンを含む。組成物は、約０．１重量％未満の酸素化物および約０．１重量％未満の芳香族を含む。本明細書のいずれかの実施形態の組成物は、バイオ再生可能フィードストックを水素化処理することを含むプロセスによって生成され得、バイオ再生可能フィードストックは、パーム核油、ヤシ油、ババス油、微生物油、または藻類油のうちの少なくとも１つを含む。本明細書のいずれかの実施形態の組成物は、ディーゼル燃料、ディーゼル燃料添加剤、ディーゼル燃料ブレンドストック、タービン燃料、タービン燃料添加剤、タービン燃料ブレンドストック、航空燃料、航空燃料添加剤、航空燃料ブレンドストック、ポータブル加熱器用燃料、ポータブル発電機用燃料、および／または木炭ライター流体として適し得る。
【発明を実施するための形態】
【０００５】
詳細な説明
以下、様々な実施形態について記載する。具体的な実施形態は、包括的な説明として、または本明細書で考察される、より広い態様への限定として意図されないことに留意されたい。特定の実施形態に関連して記載された１つの態様は、その実施形態に必ずしも限定されず、任意の他の実施形態で実施することができる。
【０００６】
本明細書で使用する「約」は、特定の用語のプラスまたはマイナス１０％までを意味する。
【０００７】
要素を記載する文脈において、（とりわけ、後続の特許請求の範囲の文脈において）「１つの（ａ）」および「１つの（ａｎ）」および「その（ｔｈｅ）」という用語、ならびに類似の指示物は、本明細書において別段の記載がない限り、または文脈によって明確に矛盾することがない限り、単数形および複数形の両方を網羅するよう解釈されることになっている。本明細書の値の範囲の列挙は、本明細書において別段の記載がない限り、この範囲内に収まる各別個の値に対して、単にそれぞれ参照する簡略表記法として機能するよう意図されており、各個別の値は、本明細書にそれぞれ列挙されているかのように本明細書に組み込まれる。本明細書に記載される方法はすべて、本明細書において別段の記載がない限り、または文脈によって明確に矛盾することがない限り、任意の好適な順序で実行することができる。本明細書で提供されるいかなるおよびすべての例、または例示的な言語（例えば、「など」）の使用は単に、実施形態をより良好に明らかにするよう意図されており、別段の記載がない限り、特許請求の範囲に制限を与えるものではない。本明細書におけるいかなる言語も、請求されていないあらゆる要素を不可欠なものとして示していると解釈されるべきではない。
【０００８】
本明細書で使用する用語「芳香族」は、「アロメート」と同義語であり、ヘテロ原子を含まない環状芳香族炭化水素および複素環式芳香族化合物の両方を意味する。この用語は、単環式、二環式、および多環式環系を含む。この用語はまた、アルキル基およびシクロアルキル基を有する芳香族種も含む。したがって、芳香族には、これらに限定されないが、ベンゼン、アズレン、ヘプタレン、フェニルベンゼン、インダセン、フルオレン、フェナントレン、トリフェニレン、ピレン、ナフタセン、クリセン、アントラセン、インデン、インダン、ペンタレン、およびナフタレン、ならびにこれらの化合物のアルキルおよびシクロアルキル置換変異体が含まれる。いくつかの実施形態では、芳香族種は、６〜１４個の炭素原子を含み、他の形態では、基の環部分に６〜１２個または６〜１０個の炭素原子を含む。句には、縮合芳香族−脂肪族環系（例えば、インダン、テトラヒドロナフテンなど）のような縮合環を含む基が含まれる。
【０００９】
本明細書で使用される「酸素化物」は、酸素に対する少なくとも１つの共有結合を含有する炭素含有化合物を意味する。この用語に包含される官能基の例としては、これらに限定されないが、カルボン酸、カルボン酸塩、酸無水物、アルデヒド、エステル、エーテル、ケトン、およびアルコール、ならびにリン酸エステルおよびリン酸無水物のようなヘテロ原子エステルおよび無水物が挙げられる。酸素化物は、本明細書に記載の芳香族、シクロパラフィン、およびパラフィンの酸素含有変異体であってもよい。
【００１０】
本明細書で使用される「パラフィン」という用語は、非環状、分枝状、または非分枝状アルカンを意味する。非分枝状パラフィンはｎ−パラフィンであり、分枝状パラフィンはイソパラフィンである。「シクロパラフィン」は、環状、分枝状、または非分枝状アルカンである。
【００１１】
本明細書で使用される用語「パラフィン系」は、上記で定義されたパラフィンおよびシクロパラフィンの両方、ならびに一または二不飽和（すなわち、１つまたは２つの二重結合）を有する、分枝状または非分枝状いずれかのアルカンである、主に炭化水素鎖を有する領域を意味する。
【００１２】
本明細書で使用される水素化処理は、限定なしに水素の存在下で起こる様々なタイプの触媒反応を表す。最も一般的な水素化処理反応の例としては、これらに限定されないが、水素化、水素化脱硫（ＨＤＳ）、水素化脱窒素（ＨＤＮ）、水素化処理（ＨＴ）、水素化分解（ＨＣ）、芳香族飽和または水素化脱芳香族化（ＨＤＡ）、水素化脱酸素（ＨＤＯ）、脱炭酸（ＤＣＯ）、水素異性化（ＨＩ）、水素化脱蝋（ＨＤＷ）、水素化脱金属（ＨＤＭ）、脱カルボニル化、メタン化、および改質が挙げられる。触媒のタイプ、反応器の構成、反応器の条件、およびフィードストックの組成に依存して、純粋な熱（すなわち、触媒を必要としない）反応から触媒反応までの範囲の複数の反応が起こり得る。特定の水素化処理ユニット、例えば、ＨＤＯ反応システムの主な機能を説明する場合、ＨＤＯ反応は起こっている主な反応の１つに過ぎず、他の反応も起こり得ることが理解される。
【００１３】
脱炭酸（ＤＣＯ）は、カルボキシル基が有機分子から除去されてＣＯ２を生成するような有機分子の水素化処理、およびＣＯの形成をもたらす脱カルボニル化を意味すると理解される。
【００１４】
熱分解は、熱化学反応中に存在する二原子酸素または二原子水素をほとんどまたは全く有さない炭素質材料の熱化学分解を意味すると理解される。熱分解における触媒の任意の使用は、典型的には接触分解と呼ばれ、これは熱分解としてこの用語に包含され、水素化分解と混同されない。
【００１５】
水素化処理（ＨＴ）は、有機化合物から周期表の第３、５、６、および／または７族の元素を除去することを含む。水素化処理は、水素化脱金属（ＨＤＭ）反応も含むことができる。したがって、水素化処理は、酸素、窒素、硫黄、およびこれらのいずれか２つ以上の組み合わせなどのヘテロ原子の水素化処理による除去を含む。例えば、水素化脱酸素（ＨＤＯ）は、副産物として水を生成する触媒水素化処理反応による酸素の除去を意味すると理解され、同様に、水素化脱硫（ＨＤＳ）および水素化脱窒素（ＨＤＮ）は、水素化処理による指示された元素のそれぞれの除去を表す。
【００１６】
水素化は、分子をサブユニットに分解することなく、有機分子に水素を付加することを含む。単結合を生成する炭素−炭素または炭素−酸素二重結合への水素の付加は、水素化の２つの非限定的な例である。部分的水素化および選択的水素化は、不飽和フィードストックの部分的飽和をもたらす水素化反応を指すために使用される用語である。例えば、多価不飽和脂肪酸（例えば、リノール酸）の割合が高い植物油は、部分水素化を受けて、望ましくない飽和脂肪酸（例えば、ステアリン酸）の割合を増加させることなく多価不飽和脂肪酸を一不飽和脂肪酸（例えば、オレイン酸）に変換させる水素化処理生成物を提供することができる。水素化は水素化処理、水素異性化、および水素化分解とは異なるが、これらの他の反応の中で水素化が起こることがある。
【００１７】
水素化分解（ＨＣ）は、水素の存在下で少なくとも２つの分子を形成する分子の炭素−炭素結合の破壊を意味すると理解される。そのような反応は、典型的には、得られる二重結合のその後の水素化を受ける。
【００１８】
水素異性化（ＨＩ）は、異性体を形成する水素の存在下での炭素−炭素結合の骨格再構成として定義される。水素化分解は、ほとんどのＨＩ触媒反応の競合反応であり、ＨＣ反応経路は、副次反応として、ＨＩという用語の使用に含まれることが理解される。水素化脱蝋（ＨＤＷ）は、炭化水素流体の低温特性を改善するように設計された水素化分解および水素異性化の特定の形態である。
【００１９】
本明細書で使用する「航空燃料」は、ジェット燃料および航空ガソリンの両方を含む。ジェット燃料はまた、航空タービン燃料と呼ばれる。
【００２０】
本明細書で使用される「タービン燃料」は、これに限定されないが、発電機を駆動するため、または船舶およびタンクに電力を供給するために圧縮空気で燃焼される燃料を含む。タービン燃料は、典型的には、ディーゼルまたはケロシン沸点範囲燃料である。
【００２１】
組成物がＣ７〜Ｃ１２ｎ−パラフィンのような「ＣＸ〜ＣＹ炭化水素」を含むと記載されている場合、これは組成物がｘ〜ｙの範囲に含まれる炭素数を有する１つ以上のパラフィンを含むことを意味することが理解されるであろう。
【００２２】
ジェット燃料として使用するためのバイオ再生可能フィードストックからの合成パラフィンケロシン（ＳＰＫ）の生成には現在、ｎ−パラフィンへの脂質の水素化脱酸素（ＨＤＯ）、続いてｎ−パラフィンからイソパラフィンへの水素化分解および／または水素異性化（ＨＩ）が含まれる。これらの生成物は、イソパラフィン対ノルマルパラフィンの比（イソ／ノルマル比）が２より大きい、好ましくは４より大きいイソパラフィン系組成物である。これは、組成物中の高濃度のｎ−パラフィン（例えば、イソ／ノルマル＜２）が、曇り点のような燃料の低温性能に有害であると長い間考えられており、したがってドロップイン（すなわち、従来の燃料での希釈を必要としない）燃料として本質的に適していないと考えられているためである。高濃度のｎ−パラフィンを含むそのような組成物は、ドロップイン航空燃料（例えば、ＡＳＴＭ  Ｄ１６５５および／またはＡＳＴＭ  Ｄ７５６６に準拠したジェット燃料など）、ウィンターディーゼル（例えば、ＥＮ  ５９０に準拠）、アーティックディーゼル（例えば、ＥＮ  ５９０に準拠）などに特に不適切とみなされている。適切な曇り点を提供するために必要であると考えられるＨＩ反応は、典型的には貴金属／ゼオライト（または非晶質シリカ含有担体）触媒系に対して起こる。高価であることに加えて、このタイプの触媒は、典型的には、こうしたＨＩ触媒のより長い寿命を保証するために、硫化水素、水、およびアンモニアなどのＨＤＯ反応副生成物の除去を必要とする。このように、この追加の反応ステップは、バイオＳＰＫの資本および運転コストに重大な影響を及ぼす。さらに、ＨＩ反応に使用される（典型的には６５０°Ｆを超える）温度および触媒は、芳香族副生成物の形成をもたらし得る。芳香族化合物はまた、石油系ケロシン中に存在する。芳香族化合物は、特定の燃焼条件下で多芳香族炭化水素（ＰＡＨ）に重合すると考えられている。ＰＡＨには、いくつかの既知および疑わしい発癌物質が含まれる。木炭ライター流体および特に「自己点火」木炭製品によって供給される木炭に埋め込まれた「予浸」ライター流体のようなポータブル燃料として使用される場合、ＰＡＨは、吸入される、または、例えば、そのような木炭の使用によって加熱および／または調理される食品中に最終的に含まれる可能性があるため、健康上の懸念がある。
【００２３】
本技術は、他の驚くべき特徴の中でも、ディーゼル燃料、航空燃料、ジェット燃料ブレンドストック、ディーゼル燃料の曇り点を低減するブレンドストック、ポータブル加熱器用燃料、ポータブル発電機用燃料、および／または木炭ライター流体としての使用に適し得る、少なくとも約９８重量パーセント（「重量％」）のｎ−パラフィンを含む組成物を提供する。このような組成物は、パーム核油、ヤシ油、ババス油、微生物油（例えば、微生物由来の脂肪酸）、および藻類油などの脂質のＨＤＯから生成され得、ＨＩなしで生成され得る。本技術はまた、バイオ再生可能フィードストックから本技術の組成物を生成するための方法、およびそのような方法からの有用な共生成物も提供する。さらに、いかなる理論にも縛られることなく、そのような組成物の融点は、その個々の成分の融点よりも低いと考えられる。本明細書のいずれかの実施形態では、組成物は、融点がこのような混合物の共融点に少なくとも実質的に近くなるような割合の各個々の成分を含むことができる。「実質的に近い」とは、組成物が、共融点との差が１０％以下、好ましくは５％以下、さらにより好ましくは２％以下、またさらにより好ましくは１％以下である融点を有することを意図している。さらに、組成物は、融点がこのような混合物の共融点であるような割合の各成分を含むことができる。
【００２４】
したがって、ある態様では、少なくとも約９８重量％のＣ７〜Ｃ１２ｎ−パラフィンを含む組成物が提供され、組成物の少なくとも約１０重量％はｎ−デカンを含み、組成物の少なくとも約２０重量％はｎ−ドデカンを含み、組成物の少なくとも約７５重量％は偶数炭素数パラフィンを含む。組成物は、約０．１重量％未満の酸素化物および約０．１重量％未満の芳香族を含む。
【００２５】
組成物は、少なくとも約９８重量％、少なくとも約９８．２重量％、少なくとも約９８．４重量％、少なくとも約９８．６重量％、少なくとも約９８．８重量％、少なくとも約９９重量％、少なくとも約９９．２重量％、少なくとも約９９．４重量％、少なくとも約９９．５重量％、少なくとも約９９．６重量％、少なくとも約９９．７重量％、少なくとも約９９．８重量％、少なくとも約９９．９重量％、少なくとも約９９．９９重量％、約１００重量％、またはこれらの値のいずれか２つを含むこれらの間のいずれかの範囲の量のＣ７〜Ｃ１２ｎ−パラフィンを含むことができる。
【００２６】
組成物は、少なくとも約１０重量％のｎ−デカンを含む。組成物は、最大約４０重量％の量のｎ−デカンを含むことができる。したがって、組成物は、約２０重量％、約２１重量％、約２２重量％、約２３重量％、約２４重量％、約２５重量％、約２６重量％、約２７重量％、約２８重量％、約２９重量％、約３０重量％、約３１重量％、約３２重量％、約３３重量％、約３４重量％、約３５重量％、約３６重量％、約３７重量％、約３８重量％、約３９重量％、約４０重量％、またはこれらの値のいずれか２つを含むこれらの間のいずれかの範囲の量のｎ−デカンを含むことができる。
【００２７】
組成物は、少なくとも約２０重量％のｎ−ドデカンを含む。組成物は、最大約８０重量％の量のｎ−ドデカンを含むことができる。したがって、組成物は、約２０重量％、約２２重量％、約２４重量％、約２６重量％、約２８重量％、約３０重量％、約３２重量％、約３４重量％、約３６重量％、約３８重量％、約４０重量％、約４２重量％、約４４重量％、約４６重量％、約４８重量％、約５０重量％、約５２重量％、約５４重量％、約５６重量％、約５８重量％、約６０重量％、約６２重量％、約６４重量％、約６６重量％、約６８重量％、約７０重量％、約７２重量％、約７４重量％、約７６重量％、約７８重量％、約８０重量％、またはこれらの値のいずれか２つを含むこれらの間のいずれかの範囲の量のｎ−ドデカンを含むことができる。
【００２８】
本明細書のいずれかの実施形態では、組成物は、少なくとも約２０重量％のｎ−オクタンを含むことができる。組成物は、最大約３０重量％の量のｎ−オクタンを含むことができる。したがって、組成物は、約２０重量％、約２１重量％、約２２重量％、約２３重量％、約２４重量％、約２５重量％、約２６重量％、約２７重量％、約２８重量％、約２９重量％、約３０重量％、またはこれらの値のいずれか２つを含むこれらの間のいずれかの範囲の量のｎ−オクタンを含むことができる。
【００２９】
組成物は、約０．１重量％未満の酸素化物を有するが、組成物は、約０．０９重量％、約０．０８重量％、約０．０７重量％、約０．０５重量％、約０．０４重量％、約０．０３重量％、約０．０２重量％、約０．０１重量％、およびこれらの値のいずれか２つを含むこれらの間の範囲、またはこれらの値のいずれか１つを下回る量の酸素化物を有することができる。酸素化物のこのような低い値は、これに限定されないが、機器中性子放射化分析を含む、適切な分析技法によって検出することができる。
【００３０】
組成物は、約０．１重量％未満の芳香族を含む。組成物は、約０．０９重量％、約０．０８重量％、約０．０７重量％、約０．０６重量％、約０．０５重量％、約０．０４重量％、約０．０３重量％、約０．０２重量％、約０．０１重量％、約０．００９重量％、約０．００８重量％、約０．００７重量％、約０．００６重量％、約０．００５重量％、約０．００４重量％、約０．００３重量％、約０．００２重量％、約０．００１重量％、およびこれらの値のいずれか２つを含むこれらの間の範囲、またはこれらの値のいずれか１つ未満の量の芳香族を含むことができる。その中のいずれかの実施形態では、組成物は、検出可能な芳香族を含まない場合がある。本明細書中で使用される「検出可能な」とは、２０１６年５月１１日現在の市販の検出機器での検出を意味する。組成物は、約０．０１重量％未満のベンゼンを含むことができる。組成物は、約０．００８重量％、約０．００６重量％、約０．００４重量％、約０．００２重量％、約０．００１重量％、約０．０００８重量％、約０．０００６重量％、約０．０００４重量％、約０．０００２重量％、約０．０００１重量％、約０．００００８重量％、約０．００００６重量％、約０．００００４重量％、約０．００００２重量％、約０．００００１重量％、およびこれらの値のいずれか２つを含むこれらの間の範囲、またはこれらの値のいずれか１つ未満の量のベンゼンを含むことができる。ベンゼンのこのような低い値は、これに限定されないが、組成物の二次元ガスクロマトグラフィーを含む、適切な分析技法によって検出することができる。その中のいずれかの実施形態では、組成物は、検出可能なベンゼンを含まない場合がある。芳香族化合物の欠如がＰＡＨの形成を妨げるので、組成物の非常に低い芳香族含有量は、組成物が木炭ライター流体として使用される場合に特に魅力的である。例えば、石油由来の木炭ライター流体を取り巻く健康上の懸念とは対照的に、本技術の組成物は、吸入されるか、または最終的に食物中に含まれる可能性があるＰＡＨを生成する危険性がほとんどまたは全くない。
【００３１】
組成物は、約５ｗｐｐｍ未満の硫黄分を有することができる。組成物は、約４ｗｐｐｍ、約３ｗｐｐｍ、約２ｗｐｐｍ、約１ｗｐｐｍ、約０．９ｗｐｐｍ、約０．８ｗｐｐｍ、約０．７ｗｐｐｍ、約０．６ｗｐｐｍ、約０．５ｗｐｐｍ、約０．４ｗｐｐｍ、約０．３ｗｐｐｍ、約０．２ｗｐｐｍ、約０．１ｗｐｐｍ、およびこれらの値のいずれか２つを含むこれらの間の範囲、またはこれらの値のいずれか１つ未満の硫黄分を有することができる。
【００３２】
組成物は、少なくとも約７０重量％の偶数炭素数パラフィンを含む。したがって、組成物は、約７０重量％、約７１重量％、約７２重量％、約７３重量％、約７４重量％、約７５重量％、約７６重量％、約７８重量％、約８０重量％、約８２重量％、約８４重量％、約８６重量％、約８８重量％、約９０重量％、約９１重量％、約９２重量％、約９３重量％、約９４重量％、約９５重量％、約９６重量％、約９７重量％、約９８重量％、約９９重量％、約９９．２重量％、約９９．４重量％、約９９．５重量％、約９９．６重量％、約９９．７重量％、約９９．８重量％、約９９．９重量％、約９９．９９重量％、約１００重量％、またはこれらの値のいずれか２つを含むこれらの間のいずれかの範囲の量の偶数炭素数パラフィンを含むことができる。組成物は、約７０重量％の偶数炭素数ｎ−パラフィンを含むことができ、組成物は、約７０重量％、約７１重量％、約７２重量％、約７３重量％、約７４重量％、約７５重量％、約７６重量％、約７８重量％、約８０重量％、約８２重量％、約８４重量％、約８６重量％、約８８重量％、約９０重量％、約９１重量％、約９２重量％、約９３重量％、約９４重量％、約９５重量％、約９６重量％、約９７重量％、約９８重量％、約９９重量％、約９９．２重量％、約９９．４重量％、約９９．５重量％、約９９．６重量％、約９９．７重量％、約９９．８重量％、約９９．９重量％、約９９．９９重量％、約１００重量％、またはこれらの値のいずれか２つを含むその間のいずれかの範囲の量の偶数炭素数ｎ−パラフィンを含むことができる。このような組成物は、比較的低温の相変化材料として特によく適している。
【００３３】
本明細書のいずれかの実施形態の組成物は、Ｃ７パラフィン、Ｃ９パラフィン、またはＣ１１パラフィンのうちの１つ以上を含み得る。本明細書のいずれかの実施形態の組成物は、Ｃ７パラフィン、Ｃ９パラフィン、およびＣ１１パラフィンの各々をさらに含み得る。本明細書のいずれかの実施形態では、Ｃ１２パラフィン対Ｃ７パラフィンの重量比は、約１５０：１以上であり得る。本明細書のいずれかの実施形態では、Ｃ１２パラフィン対Ｃ９パラフィンの重量比は、約１０：１以上であり得る。本明細書のいずれかの実施形態では、Ｃ１２パラフィン対Ｃ１１パラフィンの重量比は、約３．０：１〜約１．２：１であり得る。本明細書のいずれかの実施形態では、Ｃ１０パラフィン対Ｃ７パラフィンの重量比は、約１５０：１以上であり得る。本明細書のいずれかの実施形態では、Ｃ１０パラフィン対Ｃ９パラフィンの重量比は、約１０：１以上であり得る。本明細書のいずれかの実施形態では、Ｃ１０パラフィン対Ｃ１１パラフィンの重量比は、約２．０：１〜約０．５：１であり得る。本明細書のいずれかの実施形態では、Ｃ１２パラフィン対Ｃ１０パラフィンの重量比は、約２．０：１〜約０．５：１であり得る。
【００３４】
本明細書のいずれかの実施形態では、約０．５重量％未満の１２個を超える炭素原子を有するパラフィンがある場合がある。１２個を超える炭素原子を有するパラフィンの量は、約０．４重量％、約０．３重量％、約０．２重量％、約０．１重量％、約０．０９重量％、約０．０８重量％、約０．０７重量％、約０．０６重量％、約０．０５重量％、約０．０４重量％、約０．０３重量％、約０．０２重量％、約０．０１重量％、またはこれらの値のいずれか２つを含むこれらの間のいずれかの範囲、またはこれらの値のいずれか１つ未満である場合がある。本明細書のいずれかの実施形態では、約０．５重量％未満の１２個を超える炭素原子を有するイソパラフィンがある場合がある。１２個を超える炭素原子を有するイソパラフィンの量は、約０．４重量％、約０．３重量％、約０．２重量％、約０．１重量％、約０．０９重量％、約０．０８重量％、約０．０７重量％、約０．０６重量％、約０．０５重量％、約０．０４重量％、約０．０３重量％、約０．０２重量％、約０．０１重量％、またはこれらの値のいずれか２つを含むこれらの間のいずれかの範囲、またはこれらの値のいずれか１つ未満である場合がある。本明細書のいずれかの実施形態では、約０．５重量％未満の１２個を超える炭素原子を有するｎ−パラフィンがある場合がある。１２個を超える炭素原子を含むｎ−パラフィンの量は、約０．４重量％、約０．３重量％、約０．２重量％、約０．１重量％、約０．０９重量％、約０．０８重量％、約０．０７重量％、約０．０６重量％、約０．０５重量％、約０．０４重量％、約０．０３重量％、約０．０２重量％、約０．０１重量％、またはこれらの値のいずれか２つを含むこれらの間のいずれかの範囲、またはこれらの値のいずれか１つ未満である場合がある。このような低い値は、これに限定されないが、組成物の二次元ガスクロマトグラフィーを含む、適切な分析技法によって検出することができる。その中のいずれかの実施形態では、組成物は、１２個を超える炭素原子を有する検出可能なｎ−パラフィンを含まない場合がある。
【００３５】
本明細書のいずれかの実施形態では、組成物は、パーム核油、ヤシ油、ババス油、微生物油、または藻類油のうちの少なくとも１つを含むバイオ再生可能フィードストックを水素化処理することを含むプロセスによって生成され得る。組成物は、パーム核油、ヤシ油、ババス油、微生物油、または藻類油のうちの少なくとも２つ以上を含むバイオ再生可能フィードストックを水素化処理することを含むプロセスによって生成され得る。組成物は、蒸留を包含するプロセスによって生成することができ、組成物は、蒸留を除外するプロセスによって生成することができる。そのようなプロセスは、本明細書に記載の本技術の方法のいずれかの実施形態を含み得る。組成物は、蒸留を包含するプロセスによって生成することができ、組成物は、蒸留を除外するプロセスによって生成することができる。
【００３６】
本明細書のいずれかの実施形態の組成物は、ディーゼル燃料、ディーゼル燃料添加剤、ディーゼル燃料ブレンドストック、タービン燃料、タービン燃料添加剤、タービン燃料ブレンドストック、航空燃料、航空燃料添加剤、航空燃料ブレンドストック、ポータブル加熱器用燃料、ポータブル発電機用燃料、木炭ライター流体、またはこれらのいずれか２つ以上の組み合わせとして適し得る。組成物は、ディーゼル燃料、ディーゼル燃料ブレンドストック（例えば、ＥＮ  ５９０に準拠したウィンターディーゼル、ＥＮ  ５９０に準拠したアークティックディーゼル燃料）、航空燃料、またはこれらの組み合わせとしての使用に適している場合がある。例えば、組成物は、工業規格（例えば、ＡＳＴＭ  Ｄ１６５５および／またはＡＳＴＭ  Ｄ７５６６）を満たす商業用ジェット燃料としての使用に適している場合がある。本明細書のいずれかの実施形態では、組成物は、約１００°Ｆ（約３８℃）〜約１３６°Ｆ（約５８℃）の引火点を含み得る。組成物の引火点は、約１００°Ｆ（約３８℃）、約１０２°Ｆ（約３９℃）、約１０４°Ｆ（約４０℃）、１０６°Ｆ（約４１℃）、約１０８°Ｆ（約４２℃）、約１１０°Ｆ（約４３℃）、約１１１°Ｆ（約４４℃）、約１１３°Ｆ（約４５℃）、約１１５°Ｆ（約４６℃）、約１１７°Ｆ（約４７℃）、約１１８°Ｆ（約４９℃）、約１２２°Ｆ（約５０℃）、約１２４°Ｆ（約５１℃）、約１２６°Ｆ（約５２℃）、約１２７°Ｆ（約５３℃）、約１２９°Ｆ（約５４℃）、約１３１°Ｆ（約５５℃）、約１３３°Ｆ（約５６℃）、約１３５°Ｆ（約５７℃）、約１３６°Ｆ（約５８℃）、またはこれらの値のいずれか２つを含むこれらの間のいずれかの範囲であり得る。したがって、例えば、本明細書のいずれかの実施形態では、組成物は、約１００°Ｆ（約３８℃）〜約１１８°Ｆ（約４９℃）の引火点を含み得る。
【００３７】
本明細書のいずれかの実施形態の組成物は、約−１０℃〜約−６０℃の曇り点を含み得る。組成物の曇り点は、約−１０℃、約−１２℃、約−１４℃、約−１６℃、約−１８℃、約−２０℃、約−２２℃、約−２４℃、約−２６℃、約−２８℃、約−３０℃、約−３２℃、約−３４℃、約−３６℃、約−３８℃、約−４０℃、約−４２℃、約−４４℃、約−４６℃、約−４８℃、約−５０℃、約−５２℃、約−５４℃、約−５６℃、約−５８℃、約−６０℃、およびこれらの値のいずれか２つの間のこれらを含むいずれかの範囲、またはこれらの値のいずれか１つ未満であり得る。
【００３８】
本明細書のいずれかの実施形態の組成物は、特に航空燃料として適した組成物について、約−４０℃未満の析出点を含み得、したがって、組成物は、約−４０℃、約−４２℃、約−４４℃、約−４６℃、約−４８℃、約−５０℃、約−５２℃、約−５４℃、約−５６℃、約−５８℃、約−６０℃、約−６２℃、約−６４℃、約−６６℃、約−６８℃、約−７０℃、およびこれらの値のいずれか２つの間のこれらを含むいずれかの範囲、またはこれらの値のいずれか１つ未満の析出点を含み得る。
【００３９】
関連する態様では、木炭を含む木炭加熱材料が提供され、木炭は木材チャーおよびバインダーを含み、木材チャーは外面を有し、木炭加熱材料は、木炭の外面の少なくとも一部分に配置された本明細書に記載されるいずれかの実施形態の組成物を含む。外面上に配置される場合、これは必ずしも外面の全体が、例えば、組成物で被覆されていることを意味するものではない。外面の一部分または複数の部分が組成物と会合していてもよい。木炭加熱材料の木炭は、木炭内の複数の細孔を含んでもよい。組成物は、複数の細孔の少なくとも一部分の内部にさらに配置されてもよい。外面を参照して記載されるように、各細孔の全体は組成物と会合していなくてもよく、組成物は、組成物を含む各細孔の少なくとも一部分に配置されてもよい。外面の「部分」は、外面の表面積による約１％〜約１００％、または約１％〜約１００％のいずれか２つの整数を含むもしくはこれらの間のいずれかの範囲を意味する。「複数の細孔の部分」は、木炭における細孔の約１％〜約１００％、または約１％〜約１００％のいずれか２つの整数を含むもしくはこれらの間のいずれかの範囲を意味する。細孔の「部分」は、細孔の表面積による約１％〜約１００％、または約１％〜約１００％のいずれか２つの整数を含むもしくはこれらの間のいずれかの範囲を意味する。
【００４０】
（「チャー」とも呼ばれる）「木材チャー」は、樹皮の下の木または低木の茎、枝、および根の大部分を構成する硬質繊維状物質を指し、これは材料を少なくともある程度炭素に変換するように熱分解に供された。したがって、チャーは包括的用語であり、レトルトチャー、キルンチャーなどを含む。そのような木炭加熱材料のためのバインダーは、ゆるく凝集した成分のまとまりを生成または促進する接着性を有する材料を指し、そのようなバインダーとしては、これらに限定されないが、デンプン（トウモロコシ、ミロ、および／または小麦由来のデンプンなど）もしくは他の複合炭水化物またはこれらのいずれか２つ以上の組み合わせを挙げることができる。
【００４１】
木炭加熱材料は、本技術の組成物に加えて、点火助剤を含むことができる。そのような点火助剤は、燃焼を開始する行為またはプロセスにおいて有用な材料を指し、これらに限定されないが、おがくず、チャー製造から生じる微粉、他の粒子状セルロース系物質、およびこれらのいずれか２つ以上の組み合わせを含み得る。
【００４２】
木炭加熱材料は、木炭ブリケット、ログ、キューブ、または他の幾何学的形態であってもよい。木炭加熱材料を生成するための適切な方法についての議論は、米国特許第５，７６２，６５６号、第５，０４９，３３３号、および第９，２７９，０９１号を含むが、これらに限定されない。
【００４３】
関連する態様では、本明細書のいずれかの実施形態の組成物を生成するための方法が提供される。方法は、バイオ再生可能フィードストックを含むフィードストリームを、固定床水素化処理反応器において水素化処理触媒と接触させ、水素化処理生成物を生成することを含み、バイオ再生可能フィードストックは、パーム核油、ヤシ油、ババス油、微生物油、または藻類油のうちの少なくとも１つを含む。方法は、水素化処理生成物を分留して組成物を生成することをさらに含むことができる。本明細書のいずれかの実施形態では、フィードストリームは、石油系フィードストックを含まない場合がある。固定床水素化処理反応器は、約７５０°Ｆ（４００℃）未満の温度であり、約２００ｐｓｉｇ（１３．８ｂａｒｇ）〜約４，０００ｐｓｉｇ（２７５ｂａｒｇ）の圧力である。固定床水素化処理反応器は、連続固定床水素化処理反応器であり得る。
【００４４】
固定床反応器は、約７５０°Ｆ（４００℃）未満の温度である。いくつかの実施形態では、固定床反応器は、約４８０°Ｆ（２５０℃）〜約７５０°Ｆ（４００℃）の範囲に含まれる温度である。固定床反応器は、約４５０°Ｆ（２３０℃）、約５００°Ｆ（２６０℃）、約５４０°Ｆ（２８０℃）、約５７０°Ｆ（３００℃）、約６１０°Ｆ（３２０℃）、約６４５°Ｆ（３４０℃）、約６８０°Ｆ（３６０℃）、約７２０°Ｆ（３８０℃）、約７５０°Ｆ（４００℃）、またはこれらの値のいずれか２つを含むこれらの間のいずれかの範囲の温度で稼働し得る。加重平均床温度（ＷＡＢＴ）は、反応器の入口と出口との間の非線形温度プロファイルを説明する反応器の「平均」温度を表すために、固定床断熱反応器で一般に使用される。
2019518823.tif 000002
上記式において、ＴｉｉｎおよびＴｉｏｕｔは、触媒床ｉの、それぞれ、入口および出口の温度を指す。示されているように、Ｎ個の異なる触媒床を有する反応器システムのＷＡＢＴは、各床のＷＡＢＴ（ＷＡＢＴｉ）および各床の触媒重量（Ｗｃｉ）を使用して計算することができる。
【００４５】
フィードストリームは、水素リッチ処理ガスと組み合わされる。水素リッチ処理ガス対バイオ再生可能フィードストックの比は、約２，０００〜約１０，０００ＳＣＦ／ｂｂｌ（液体のリットル当たりのガスのノルマルリットルの単位（Ｎｌ／ｌ）では、約３５５Ｎｌ／ｌ〜約１７８０Ｎｌ／ｌ）の範囲である。水素リッチ処理ガス対バイオ再生可能フィードストックの比は、約２，５００ＳＣＦ／ｂｂｌ（約４４５Ｎｌ／ｌ）、約３，０００ＳＣＦ／ｂｂｌ（約５３５Ｎｌ／ｌ）、約３，５００ＳＣＦ／ｂｂｌ（約６２５Ｎｌ／ｌ）、約４，０００ＳＣＦ／ｂｂｌ（約７１０Ｎｌ／ｌ）、約４，５００ＳＣＦ／ｂｂｌ（約８００Ｎｌ／ｌ）、約５，０００ＳＣＦ／ｂｂｌ（約８９０Ｎｌ／ｌ）、約５，５００ＳＣＦ／ｂｂｌ（約９８０Ｎｌ／ｌ）、約６，０００ＳＣＦ／ｂｂｌ（約１０７０Ｎｌ／ｌ）、約６，５００ＳＣＦ／ｂｂｌ（約１１６０Ｎｌ／ｌ）、約７，０００ＳＣＦ／ｂｂｌ（約１２５０Ｎｌ／ｌ）、約７，５００ＳＣＦ／ｂｂｌ（約１３３５Ｎｌ／ｌ）、約８，０００ＳＣＦ／ｂｂｌ（約１４２５Ｎｌ／ｌ）、約８，５００ＳＣＦ／ｂｂｌ（約１５１５Ｎｌ／ｌ）、約９，０００ＳＣＦ／ｂｂｌ（約１６００Ｎｌ／ｌ）、約９，５００ＳＣＦ／ｂｂｌ（約１６９０Ｎｌ／ｌ）、およびこれらの値のいずれか２つを含むこれらの間の範囲であり得る。水素リッチ処理ガスは、約７０モル％〜約１００モル％の水素を含有する。質量比に関して、フィードストリーム対水素リッチ処理ガスの比は、約５：１〜２５：１である。フィードストリーム対水素リッチ処理ガスの比は、約６：１、約７：１、約８：１、約９：１、約１０：１、約１１：１、約１２：１、約１３：１、約１４：１、約１５：１、約１６：１、約１７：１、約１８：１、約１９：１、約２０：１、約２２：１、約２３：１、約２４：１、およびこれらの値のいずれか２つを含むこれらの間の範囲、またはこれらの値のいずれか１つを上回る比であり得る。
【００４６】
いくつかの実施形態では、固定床反応器は、水素化触媒を含む。水素化触媒は、Ｃｏ、Ｍｏ、Ｎｉ、Ｐｔ、Ｐｄ、Ｒｕ、Ｗ、ＮｉＭｏ、ＮｉＷ、ＣｏＭｏ、またはこれらのいずれか２つ以上の組み合わせを含むことができる。いくつかの実施形態では、水素化触媒は、ＮｉＭｏ、ＮｉＷ、ＣｏＭｏ、およびこれらのいずれか２つ以上の組み合わせを含む。水素化触媒のための担体としては、アルミナならびに酸化ケイ素および／または酸化リンを有するアルミナが挙げられる。当業者は、特定の結果を提供するために適切な水素化触媒を選択し、依然として本技術に従い得ることに留意すべきである。
【００４７】
固定床反応器は、水素化処理触媒を含む。水素化処理触媒は、Ｃｏ、Ｍｏ、Ｎｉ、Ｐｔ、Ｐｄ、Ｒｕ、Ｗ、ＮｉＭｏ、ＮｉＷ、ＣｏＭｏ、またはこれらのいずれか２つ以上の組み合わせを含むことができる。水素化処理触媒は、好ましくはＮｉＭｏ、ＮｉＷ、ＣｏＭｏ、およびこれらのいずれか２つ以上の組み合わせを含む。水素化処理触媒のための担体としては、アルミナならびに酸化ケイ素および／または酸化リンを有するアルミナが挙げられる。当業者は、特定の結果を提供するために適切な水素化処理触媒を選択し、依然として本技術に従い得ることに留意すべきである。
【００４８】
ほとんどのバイオ再生可能フィードストック中のごくわずかな有機硫黄の存在にもかかわらず、水素化処理触媒の活性金属硫化物官能基を維持するために、加熱および／または触媒と接触した際に硫化水素に分解する硫黄化合物をフィードストリームに補給することができる。いくつかの実施形態では、硫黄化合物は、メチルメルカプタン、エチルメルカプタン、ｎ−ブチルメルカプタン、硫化ジメチル（ＤＭＳ）、二硫化ジメチル（ＤＭＤＳ）、ジメチルスルホキシド（ＤＭＳＯ）、硫化ジエチル、多硫化ジ−ｔｅｒｔ−ブチル（ＴＢＰＳ）、多硫化ジ−オクチル、多硫化ジ−ｔｅｒｔ−ノニル（ＴＮＰＳ）、二硫化炭素、チオフェン、またはこれらのいずれか２つ以上の混合物を含む。フィードストリーム中の硫黄化合物の濃度は、約５０重量ｐｐｍ〜約２，０００重量ｐｐｍの硫黄であり得る。フィードストリームは、化石燃料留分を含み得、化石燃料留分は、上記硫黄化合物との組み合わせまたはその非存在下のいずれかで硫黄を提供する。
【００４９】
固定床反応器は、約２００ｐｓｉｇ（約１３．８ｂａｒｇ）〜約４，０００ｐｓｉｇ（約２７５ｂａｒｇ）の範囲に含まれる圧力である。圧力は、約３００ｐｓｉｇ（２１ｂａｒｇ）、約４００ｐｓｉｇ（２８ｂａｒｇ）、約５００ｐｓｉｇ（３４ｂａｒｇ）、約６００ｐｓｉｇ（４１ｂａｒｇ）、約７００ｐｓｉｇ（４８ｂａｒｇ）、約８００ｐｓｉｇ（５５ｂａｒｇ）、約９００ｐｓｉｇ（６２ｂａｒｇ）、約１，０００ｐｓｉｇ（６９ｂａｒｇ）、約１，１００ｐｓｉｇ（７６ｂａｒｇ）、約１，２００ｐｓｉｇ（８３ｂａｒｇ）、約１，３００ｐｓｉｇ（９０ｂａｒｇ）、約１，４００ｐｓｉｇ（９７ｂａｒｇ）、約１，５００ｐｓｉｇ（１０３ｂａｒｇ）、約１，６００ｐｓｉｇ（１１０ｂａｒｇ）、約１，７００ｐｓｉｇ（１１７ｂａｒｇ）、約１，８００ｐｓｉｇ（１２４ｂａｒｇ）、約１，９００ｐｓｉｇ（１３１ｂａｒｇ）、約２，０００ｐｓｉｇ（１３８ｂａｒｇ）、約２，２００ｐｓｉｇ（１５２ｂａｒｇ）、約２，４００ｐｓｉｇ（１６５ｂａｒｇ）、約２，６００ｐｓｉｇ（１７９ｂａｒｇ）、約２，８００ｐｓｉｇ（１９３ｂａｒｇ）、約３，０００ｐｓｉｇ（２０７ｂａｒｇ）、約３，２００ｐｓｉｇ（２２１ｂａｒｇ）、約３，４００ｐｓｉｇ（２３４ｂａｒｇ）、約３，６００ｐｓｉｇ（２４８ｂａｒｇ）、約３，８００ｐｓｉｇ（２６２ｂａｒｇ）、約３，９００ｐｓｉｇ（２６９ｂａｒｇ）、およびこれらの値のいずれか２つを含むこれらの間のいずれかの範囲であり得る。いくつかの実施形態では、圧力は、約１，０００ｐｓｉｇ（６９ｂａｒｇ）〜約２，０００ｐｓｉｇ（１３８ｂａｒｇ）である。
【００５０】
いくつかの実施形態では、フィードストリームは希釈剤をさらに含む。希釈剤は、再生水素化加工生成物（例えば、水素化処理生成物）、水素化処理生成物の蒸留留分、石油炭化水素流体、フィッシャー・トロプシュ法からの合成炭化水素生成物ストリーム、糖の発酵により生成される炭化水素生成物ストリーム（例えば、ファルネセン）、リモネンおよびテルペンのような天然炭化水素、天然ガス液体、またはこれらのいずれか２つ以上の混合物を含み得る。いくつかの実施形態では、希釈剤は、再生水素化処理生成物、水素化処理生成物の蒸留留分、石油炭化水素流体、またはこれらの２つ以上の混合物を含む。希釈剤対バイオ再生可能フィードストックの比は、約０．５：１〜約２０：１の範囲内に含まれる。希釈剤対バイオ再生可能フィードストックの比は、約１：１、約２：１、約３：１、約４：１、約５：１、約６：１、約７：１、約８：１、約９：１、約１０：１、約１１：１、約１２：１、約１３：１、約１４：１、約１５：１、約１６：１、約１７：１、約１８：１、約１９：１、およびこれらの値のいずれか２つを含むこれらの間の範囲であり得る。
【００５１】
いくつかの実施形態では、水素化処理生成物は、約７．０重量％未満のシクロパラフィンを含む。水素化処理生成物は、約６重量％、約５重量％、約４重量％、約３重量％、約２重量％、約１重量％、約０．９重量％、約０．８重量％、約０．７重量％、約０．６重量％、約０．５重量％、約０．４重量％、約０．３重量％、約０．２重量％、約０．１重量％、およびこれらの値のいずれか２つを含むこれらの間のいずれかの範囲、またはこれらの値のいずれか１つを下回る量のシクロパラフィンを有することができる。
【００５２】
いくつかの実施形態では、水素化処理生成物は、約１．０重量％未満の芳香族を含み、約１．０重量％〜約０．００１重量％の芳香族を含むことができる。水素化処理生成物は、約０．９重量％、約０．８重量％、約０．７重量％、約０．６重量％、約０．５重量％、約０．４重量％、約０．３重量％、約０．２重量％、約０．１重量％、約０．０９重量％、約０．０８重量％、約０．０７重量％、約０．０６重量％、約０．０５重量％、約０．０４重量％、約０．０３重量％、約０．０２重量％、約０．０１重量％、約０．００９重量％、約０．００８重量％、約０．００７重量％、約０．００６重量％、約０．００５重量％、約０．００４重量％、約０．００３重量％、約０．００２重量％、約０．００１重量％、およびこれらの値のいずれか２つを含むこれらの間の範囲、またはこれらの値のいずれか１つを下回る量の芳香族を含むことができる。いくつかの実施形態では、水素化処理生成物は、約０．５重量％未満の全芳香族を含む。いくつかの実施形態では、水素化処理生成物は、約０．０１重量％未満のベンゼンを有する。水素化処理生成物は、約０．００８重量％、約０．００６重量％、約０．００４重量％、約０．００２重量％、約０．００１重量％、約０．０００８重量％、約０．０００６重量％、約０．０００４重量％、約０．０００２重量％、約０．０００１重量％、約０．００００８重量％、約０．００００６重量％、約０．００００４重量％、約０．００００２重量％、約０．００００１重量％、およびこれらの値のいずれか２つを含むこれらの間の範囲、またはこれらの値のいずれか１つ未満の量のベンゼンを含むことができる。ベンゼンのこのような低い値は、これに限定されないが、組成物の二次元ガスクロマトグラフィーを含む、適切な分析技法によって検出することができる。いくつかの実施形態では、水素化処理生成物は、約０．００００１重量％未満のベンゼンを有する。
【００５３】
いくつかの実施形態では、水素化処理生成物は、約５ｗｐｐｍ未満の硫黄分を有する。水素化処理生成物は、約４ｗｐｐｍ、約３ｗｐｐｍ、約２ｗｐｐｍ、約１ｗｐｐｍ、約０．９ｗｐｐｍ、約０．８ｗｐｐｍ、約０．７ｗｐｐｍ、約０．６ｗｐｐｍ、約０．５ｗｐｐｍ、約０．４ｗｐｐｍ、約０．３ｗｐｐｍ、約０．２ｗｐｐｍ、約０．１ｗｐｐｍ、およびこれらの値のいずれか２つを含むこれらの間の範囲、またはこれらの値のいずれか１つ未満の硫黄分を有することができる。いくつかの実施形態では、水素化処理生成物は、約２ｗｐｐｍ未満の硫黄分を有する。
【００５４】
いくつかの実施形態では、水素化処理生成物は、約０．１重量％未満の酸素化物を有する。水素化処理生成物は、約０．０９重量％、約０．０８重量％、約０．０７重量％、約０．０５重量％、約０．０４重量％、約０．０３重量％、約０．０２重量％、約０．０１重量％、およびこれらの値のいずれか２つを含むこれらの間の範囲、またはこれらの値のいずれか１つを下回る量の酸素化物を有することができる。酸素化物のこのような低い値は、これに限定されないが、機器中性子放射化分析を含む、適切な分析技法によって検出することができる。
【００５５】
いくつかの実施形態では、バイオ再生可能フィードストックは前処理され得る。そのような前処理には、脱ガム、中和、漂白、脱臭、またはそれらのいずれか２つ以上の組み合わせが含まれるが、これらに限定されない。脱ガムの１つのタイプは酸脱ガムであり、これは脂肪／油を濃縮水性酸と接触させることを含む。例示的な酸は、リン酸、クエン酸、およびマレイン酸である。この前処理ステップは、リンに加えてカルシウムおよびマグネシウムなどの金属を除去する。中和は、典型的には、酸脱ガム脂肪／油に（水性ＮａＯＨのような、いずれかの塩基を指す）苛性を加えることによって行われる。酸脱ガムおよび／または中和のために使用されるプロセス装置は、高せん断ミキサーおよびディスクスタック遠心分離機を含み得る。漂白は、典型的には、脱ガム脂肪／油を吸着性粘土と接触させ、使用済み粘土を圧力リーフフィルターを通して濾過することを含む。粘土の代わりに合成シリカを使用することは、改善した吸着を提供することが報告されている。漂白ステップは、葉緑素ならびに残留金属およびリンの多くを除去する。苛性中和ステップ中に（すなわち、遊離脂肪酸との反応によって）形成された可能性のあるいかなる石鹸も、漂白ステップ中に除去される。前述の処理プロセスは、当該技術分野で知られており、これらに限定されないが、米国特許第４，０４９，６８６号、第４，６９８，１８５号、第４，７３４，２２６号、および第５，２３９，０９６号を含む、特許文献に記載されている。
【００５６】
本明細書で使用される漂白は、グリセリド油の加工に一般的な濾過プロセスである。多くのタイプの加工構成ならびに濾過媒体、例えば、珪藻土、パーライト、シリカヒドロゲル、セルロース系媒体、粘土、漂白土、炭素、ボーキサイト、シリカアルミネート、天然繊維およびフレーク、合成繊維、ならびにこれらの混合物は、当業者に知られている。漂白は、石油、合成、および生物学的フィードおよび生成物の一般的な工業プロセスである粘土処理のような他の名称によっても呼ばれ得る。
【００５７】
さらなるタイプの濾過を行って、脱ガムおよび／または漂白の前および／または後および／または代わりにバイオ再生可能フィードストックから浮遊固体を除去することができる。いくつかの実施形態では、ロトスクリーン濾過を用いて、バイオ再生可能フィードストックから約１ｍｍより大きい固体を除去する。ロトスクリーン濾過は、バルク固体を連続的に除去する約１ｍｍ以上の開口部を有する機械的に振動するワイヤーメッシュスクリーンである。約１ｍｍ〜約２０ｍｍのような１ｍｍより大きい固体のバルク分離を提供する限り、セルフクリーニングおよび逆洗フィルターを含む、異なるタイプのフィルターに収容された約１ｍｍ以上の他のワイヤーメッシュフィルターを使用することもできる。粘土コーティングされた圧力リーフフィルターによる漂白が使用されない実施形態では、約０．１〜約１００のミクロンレーティングを有するカートリッジまたはバッグフィルターを用いて、フィードストリーム中には確実に可溶化および／または微細懸濁（例えば、コロイド相）混和物のみが存在するようにすることができる。濾過は、典型的には、フィードストリームが約０．１〜１００ｃＰの粘度の液体であることを保証するのに十分に高い温度で行われる。これは、一般に、２０℃〜９０℃（約７０°Ｆ〜約１９５°Ｆ）の温度範囲に変換される。
【００５８】
いくつかの実施形態では、固定床水素化処理反応器を通るバイオ再生可能フィードストックの液空間速度（ＬＨＳＶ）は、約０．２ｈ−１〜約１０．０ｈ−１である。ＬＨＳＶは、約０．３ｈ−１、約０．４ｈ−１、約０．５ｈ−１、約０．６ｈ−１、約０．７ｈ−１、約０．８ｈ−１、約０．９ｈ−１、約１．０ｈ−１、約１．２ｈ−１、約１．４ｈ−１、約１．６ｈ−１、約１．８ｈ−１、約２．０ｈ−１、約２．２ｈ−１、約２．４ｈ−１、約２．６ｈ−１、約２．８ｈ−１、約３．０ｈ−１、約３．２ｈ−１、約３．４ｈ−１、約３．６ｈ−１、約３．８ｈ−１、約４．０ｈ−１、約４．２ｈ−１、約４．４ｈ−１、約４．６ｈ−１、約４．８ｈ−１、約５．０ｈ−１、約５．２ｈ−１、約５．４ｈ−１、約５．６ｈ−１、約５．８ｈ−１、約６．０ｈ−１、約６．２ｈ−１、約６．４ｈ−１、約６．６ｈ−１、約６．８ｈ−１、約７．０ｈ−１、約７．２ｈ−１、約７．４ｈ−１、約７．６ｈ−１、約７．８ｈ−１、約８．０ｈ−１、約８．２ｈ−１、約８．４ｈ−１、約８．６ｈ−１、約８．８ｈ−１、約９．０ｈ−１、約９．２ｈ−１、約９．４ｈ−１、約９．６ｈ−１、約９．８ｈ−１、およびこれらの値のいずれか２つを含むこれらの間の範囲、またはこれらの値のいずれか１つを上回り得る。
【００５９】
バイオ再生可能フィードストックは、遊離脂肪酸、脂肪酸エステル（モノ−、ジ−、およびトリグリセリドを含む）、またはこれらの組み合わせを含む。例えば、遊離脂肪酸は、トリグリセリドエステル交換フィードストックから遊離脂肪酸をストリッピングすることによって得られる遊離脂肪酸を含み得る。バイオ再生可能フィードストックは、（パーム核油、ヤシ油、ババス油、微生物油、または藻類油のうちの少なくとも１つに加えて）動物性脂肪、動物性油、植物性脂肪、植物性油、植物脂肪、植物油、グリース、またはこれらのいずれか２つ以上の混合物を含み得る。脂肪酸エステルは、脂肪酸メチルエステル、脂肪酸エチルエステル、脂肪酸プロピルエステル、脂肪酸ブチルエステル、またはこれらのいずれか２つ以上の混合物を含み得る。バイオ再生可能フィードストックは、植物油脱臭からの脂肪酸蒸留物を含むことができる。前処理のレベルに応じて、脂肪、油、およびグリースは、約１ｗｐｐｍ〜約１，０００ｗｐｐｍのリン、および約１ｗｐｐｍ〜約５００ｗｐｐｍの総金属（主にナトリウム、カリウム、マグネシウム、カルシウム、鉄、および銅）を含み得る。植物性および／もしくは植物油ならびに／または微生物油としては、これらに限定されないが、ババス油、カリナタ油、大豆油、キャノーラ油、ヤシ油、ナタネ油、トール油、トール油脂肪酸、パーム油、パーム油脂肪酸蒸留物、ヤトロファ油、パーム核油、ヒマワリ油、ヒマシ油、カメリナ油、古細菌油、細菌油、真菌油、原生動物油、藻類油、海藻油、好塩性生物由来の油、およびこれらのいずれか２つ以上の混合物が挙げられる。これらは、前処理および残留リンのレベルならびに金属含有量に応じて、粗製、脱ガム、およびＲＢＤ（精製、漂白、および脱臭）グレードに分類することができる。しかしながら、これらのグレードのいずれも本技術で使用することができる。上記で使用した動物性脂肪および／または油は、これらに限定されないが、非食用獣脂、食用獣脂、工業用獣脂、浮遊獣脂、ラード、家禽脂肪、家禽油、魚脂肪、魚油、およびこれらのいずれか２つ以上の混合物を含む。グリースは、これらに限定されないが、イエローグリース、ブラウングリース、廃植物油、レストラングリース、水処理施設などの地方自治体からのトラップグリース、および包装食品生産工程からの使用済み油、ならびにこれらのいずれか２つ以上の混合物を含み得る。
【００６０】
バイオ再生可能フィードストックは、（パーム核油、ヤシ油、ババス油、微生物油、または藻類油のうちの少なくとも１つに加えて）動物性脂肪、家禽油、大豆油、キャノーラ油、カリナタ油、ナタネ油、パーム油、ヤトロファ油、ヒマシ油、カメリナ油、海藻油、好塩性生物油、精製脂肪、レストラングリース、ブラウングリース、イエローグリース、廃工業用揚げ油、魚油、トール油、トール油脂肪酸、またはこれらのいずれか２つ以上の混合物を含み得る。バイオ再生可能フィードストックは、（パーム核油、ヤシ油、ババス油、微生物油、または藻類油のうちの少なくとも１つに加えて）動物性脂肪、レストラングリース、ブラウングリース、イエローグリース、廃工業用揚げ油、またはこれらのいずれか２つ以上の混合物を含み得る。
【００６１】
水素化処理生成物は、組成物を提供するために分留され得る。本明細書のいずれかの実施形態では、分留ステップは、組成物を提供する場合がある。本明細書のいずれかの実施形態では、分留ステップは、２つ以上のＣ７〜Ｃ１２パラフィン留分を提供する場合があり、方法は、２つ以上のＣ７〜Ｃ１２パラフィン留分を組み合わせて組成物を生成することをさらに含む。分留は、カラムの底部に再沸器またはストリッピング蒸気、および上部に凝縮器を備えた蒸留カラムで行うことができる。このような実施形態では、再沸器またはストリッピング蒸気は熱エネルギーを供給して炭化水素のより重質な留分を気化させるが、凝縮器はより軽質な炭化水素蒸気を冷却して炭化水素液体をカラムの上部に戻す。蒸留カラムは、複数の特徴（例えば、プレート、突起、および／または充填材料の床）を備え、そこでは上昇する蒸気および落下する液体が向流接触する。カラムの底部から上部への温度プロファイルは、炭化水素フィードの組成およびカラム圧力によって決定される。いくつかの実施形態では、カラム圧力は、約２００ｐｓｉｇ（約１３．８ｂａｒｇ）〜約−１４．５ｐｓｉｇ（約−１ｂａｒｇ）の範囲である。カラムは、１つまたは複数の供給ノズルを備えている。凝縮器液体の一部分（典型的には１０〜９０体積％）は、頂部蒸留生成物として取り出され、残りは還流されてカラムに戻される。いくつかの実施形態は、同じカラムにおいてフィードを複数のカットに分留するために複数の取出ノズルを使用するが、他の実施形態は、各々フィードを頂部留分および底部留分に分離する複数のカラムを順番に使用して同じ分離を達成する。
【００６２】
方法は、水素化処理生成物を分留して、組成物およびＣ１４〜Ｃ２２ｎ−パラフィン留分を生成することをさらに含むことができる。Ｃ１４〜Ｃ２２ｎ−パラフィン留分は、少なくとも約９０重量％のＣ１４〜Ｃ２２ｎ−パラフィン留分を含む。Ｃ１４〜Ｃ２２ｎ−パラフィン留分は、少なくとも約９０重量％のＣ１４〜Ｃ１６ｎ−パラフィンを含み得る。Ｃ１４〜Ｃ２２ｎ−パラフィン留分は、少なくとも約９０重量％のＣ１４〜Ｃ１８ｎ−パラフィンを含み得る。Ｃ１４〜Ｃ２２ｎ−パラフィン留分は、少なくとも約９０重量％のＣ１６〜Ｃ１８ｎ−パラフィンを含み得る。Ｃ１４〜Ｃ２２ｎ−パラフィン留分は、少なくとも約９０重量％のＣ１８〜Ｃ２０ｎ−パラフィンを含み得る。Ｃ１４〜Ｃ２２ｎ−パラフィン留分は、少なくとも約９０重量％のｎ−テトラデカンを含み得る。Ｃ１４〜Ｃ２２ｎ−パラフィン留分は、少なくとも約９０重量％のｎ−ヘキサデカンを含み得る。Ｃ１４〜Ｃ２２ｎ−パラフィン留分は、少なくとも約９０重量％のｎ−オクタデカンを含み得る。Ｃ１４〜Ｃ２２ｎ−パラフィン留分は、少なくとも約９０重量％のｎ−イコサンを含み得る（ｎ−イコサンは「ｎ−エイコサン」としても知られていることに留意されたい）。Ｃ１４〜Ｃ２２ｎ−パラフィン留分は、少なくとも約９０重量％のｎ−ドコサンを含み得る。本明細書のいずれかの実施形態では、Ｃ１４〜Ｃ２２ｎ−パラフィン留分（複数可）は、水素化処理生成物について本明細書に記載されるようにアロメート、酸素化物、および硫黄分を有し得る。本明細書のいずれかの実施形態では、Ｃ１４〜Ｃ２２ｎ−パラフィン留分（複数可）は、例えば、熱システムのための、相変化材料として適している。
【００６３】
本明細書のいずれかの実施形態では、方法は、水素化処理生成物を分留して、組成物および２つ以上のＣ１４〜Ｃ２２ｎ−パラフィン留分を生成することをさらに含むことができ、２つ以上のＣ１４〜Ｃ２２ｎ−パラフィン留分は、本明細書に記載のいずれかの実施形態のものであり得る。したがって、方法は、水素化処理生成物を分留して、組成物、ならびに（ｉ）少なくとも約９０重量％のｎ−テトラデカンを含む留分、（ｉｉ）少なくとも約９０重量％のｎ−ヘキサデカンを含む留分、（ｉｉｉ）少なくとも約９０重量％のｎ−オクタデカンを含む留分、（ｉｖ）少なくとも約９０重量％のｎ−イコサンを含む留分、および（ｖ）少なくとも約９０重量％のｎ−ドコサンを含む留分のうちの２つ以上を生成することをさらに含むことができる。本明細書のいずれかの実施形態では、２つ以上のＣ１４〜Ｃ２２ｎ−パラフィン留分は、各々独立して、例えば、熱システムのための、相変化材料として適している。
【００６４】
ある態様では、ブレンド燃料が提供され、ブレンド燃料は、本明細書に記載のいずれかの実施形態の組成物ならびに石油系燃料および／または合成燃料を含む。石油系燃料および／または合成燃料は、各々独立して、ディーゼル燃料、タービン燃料、航空燃料、またはこれらのいずれか２つ以上の組み合わせであり得る。合成燃料は、（１）ＨＤＯ生成物を生成するための１つ以上のバイオ再生可能フィードストックのＨＤＯ、続いてＨＤＯ生成物のＨＩを含むプロセスによって生成された燃料、または（２）フィッシャー・トロプシュ法を含むプロセスによって生成された燃料、または（３）（１）および（２）の組み合わせを含む。ブレンド燃料は、ディーゼル燃料（例えば、ＥＮ  ５９０に準拠したウィンターディーゼル、ＥＮ  ５９０に準拠したアークティックディーゼル燃料）、航空燃料、またはこれらの組み合わせとしての使用に適している場合がある。例えば、ブレンド燃料は、工業規格（例えば、ＡＳＴＭ  Ｄ１６５５および／またはＡＳＴＭ  Ｄ７５６６）を満たす商業用ジェット燃料としての使用に適している場合がある。ブレンド燃料は、ディーゼル燃料、タービン燃料、航空燃料、ポータブル加熱器用燃料、ポータブル発電機用燃料、および／または木炭ライター流体としての使用に適し得る。
【００６５】
ブレンド燃料は、約１重量％〜約８０重量％の量の組成物を含み得、したがって組成物は、約１重量％、約２重量％、約３重量％、約４重量％、約５重量％、約６重量％、約７重量％、約８重量％、約９重量％、約１０重量％、約１２重量％、約１４重量％、約１６重量％、約１８重量％、約２０重量％、約２２重量％、約２４重量％、約２６重量％、約２８重量％、約３０重量％、約３２重量％、約３４重量％、約３６重量％、約３８重量％、約４０重量％、約４２重量％、約４４重量％、約４６重量％、約４８重量％、約５０重量％、約５２重量％、約５４重量％、約５６重量％、約５８重量％、約６０重量％、約６２重量％、約６４重量％、約６６重量％、約６８重量％、約７０重量％、約７２重量％、約７４重量％、約７６重量％、約７８重量％、約８０重量％、およびこれらの値のいずれか２つを含むこれらの間のいずれかの範囲、またはこれらの値のいずれか１つを上回る量で含まれ得る。同様に、所与の状況において重量％の代わりに体積パーセント（「体積％」）を使用するのがより容易である場合、ブレンド燃料は、約１体積％〜約８０体積％の量の組成物を含み得、したがって組成物は、約１体積％、約２体積％、約３体積％、約４体積％、約５体積％、約６体積％、約７体積％、約８体積％、約９体積％、約１０体積％、約１２体積％、約１４体積％、約１６体積％、約１８体積％、約２０体積％、約２２体積％、約２４体積％、約２６体積％、約２８体積％、約３０体積％、約３２体積％、約３４体積％、約３６体積％、約３８体積％、約４０体積％、約４２体積％、約４４体積％、約４６体積％、約４８体積％、約５０体積％、約５２体積％、約５４体積％、約５６体積％、約５８体積％、約６０体積％、約６２体積％、約６４体積％、約６６体積％、約６８体積％、約７０体積％、約７２体積％、約７４体積％、約７６体積％、約７８体積％、約８０体積％、およびこれらの値のいずれか２つを含むこれらの間のいずれかの範囲、またはこれらの値のいずれか１つを上回る量で含まれ得る。
【００６６】
ブレンド燃料は、約−１０℃未満の曇り点を含み得る。ブレンド燃料の曇り点は、約−１０℃、約−１２℃、約−１４℃、約−１６℃、約−１８℃、約−２０℃、約−２２℃、約−２４℃、約−２６℃、約−２８℃、約−３０℃、約−３２℃、約−３４℃、約−３６℃、約−３８℃、約−４０℃、約−４２℃、約−４４℃、約−４６℃、約−４８℃、約−５０℃、約−５２℃、約−５４℃、約−５６℃、約−５８℃、約−６０℃、およびこれらの値のいずれか２つの間のこれらを含むいずれかの範囲、またはこれらの値のいずれか１つ未満であり得る。このような曇り点はディーゼル燃料によく適しており、より低い曇り点は特にウィンターおよびアークティックディーゼル燃料に適している。ブレンド燃料は、特に航空燃料として適したブレンド燃料について、約−４０℃未満の析出点を含み得、したがってブレンド燃料は、約−４０℃、約−４２℃、約−４４℃、約−４６℃、約−４８℃、約−５０℃、約−５２℃、約−５４℃、約−５６℃、約−５８℃、約−６０℃、約−６２℃、約−６４℃、約−６６℃、約−６８℃、約−７０℃、およびこれらの値のいずれか２つの間のこれらを含むいずれかの範囲、またはこれらの値のいずれか１つ未満の析出点を含み得る。
【００６７】
関連する態様では、本明細書のいずれかの実施形態のブレンド燃料を生成するための方法が提供され、方法は、本明細書に記載のいずれかの実施形態の組成物ならびに石油系燃料および／または合成燃料を組み合わせることを含む。
【００６８】
このように一般的に記載される本技術は、以下の実施例を参照することにより、より容易に理解され、これらは説明のために提供され、本技術を限定することを意図しない。
【実施例】
【００６９】
実施例１−バイオ再生可能合成ｎ−パラフィン系ケロシンの生成
固定床パイロットプラント管状水素化加工反応器にＭｏ触媒を装填した。触媒は、装填時は酸化物形態であり、反応器スタートアップ中に硫化された。
【００７０】
加工されたフィードストックは、パーム核油（「ＰＫＯ」）であった。反応器を水素で加圧し、約１，０００ｐｓｉｇの圧力（６９ｂａｒｇ）で制御した。フィードストックを、約５５０°Ｆ（２８８℃）の反応器入口温度で２：１の比（生成物リサイクル体積：フィードストック体積）の模擬生成物リサイクル条件下、反応器に導入した。生成物リサイクルは、水の分離後のＨＤＯ反応の生成物であった。水素をフィードおよび生成物リサイクルと共に５，０００ＳＣＦ／ｂｂｌ（８９０Ｎｌ／ｌ）の割合で反応器に導入し、反応器を１ｈ−１の液空間速度（ＬＨＳＶ）で稼働させた。
【００７１】
生成物はＧＣによって分析され、９３％の偶数炭素数ｎ−パラフィン、主にデカン、ドデカン、テトラデカン、ヘキサデカン、およびオクタデカンを含む偶数炭素数ｎ−パラフィンを有する、主にＣ１０〜Ｃ１８炭化水素組成物であることが示された。組成物は酸素元素について分析され、０．２％以下の酸素を含有することが判明した。
【００７２】
生成物を、約２０の理論段数のＫｏｃｈ−Ｇｌｉｔｃｈ  ＤＸ構造充填物を含むバッチ真空蒸留カラムにおいて分留した。第１の蒸留物カットを、７５〜９５℃のポット温度、４０〜５８℃の頂部蒸気温度、約５ｍｍＨｇのカラム圧力、および約２：１〜４：１の還流比で回収した。
【００７３】
この第１の蒸留物カットは秤量され、蒸留ポットに充填した生成物の約２４重量％であることが判明した。次いで、このカットはＧＣ−ＦＩＤによって分析され、以下の組成を有することが判明した。
2019518823.tif 000003
注：「他のＣｘ炭化水素」とは、ｎ−パラフィンではない炭化水素、例えば、オレフィンおよび／またはイソパラフィンを指す。
この組成物の引火点が測定され、４１．２℃であることが判明し、これは、木炭点火流体用途およびポータブル燃料用途、ならびに適切なブレンドストックに理想的である。ｎ−デカン、ｎ−ウンデカン、およびｎ−ドデカンが混合物中の主要成分であり、それぞれの引火点が４６℃、６２℃、および７１℃であり、組成物が７５重量％より大きいＣ１０〜Ｃ１２炭化水素であることを考慮すると、４１℃の比較的低い引火点は予想外である。
【００７４】
実施例２−ジェット燃料ブレンドストックとしてのバイオ再生可能合成ｎ−パラフィン系ケロシンの生成
実施例１に記載したようにＨＤＯ反応を実施した。ＨＤＯ生成物の生成後、生成物を、約２０の理論段数のＫｏｃｈ−Ｇｌｉｔｃｈ  ＤＸ構造充填物を含むバッチ真空蒸留カラムにおいて分留した。第１の蒸留物カットを、５４〜９４℃のポット温度、２４〜５１℃の頂部蒸気温度、約２ｍｍＨｇのカラム圧力、および約３：１の還流比で回収した。第２の蒸留物カットを、９８℃のポット温度、５１℃の頂部蒸気温度、約２ｍｍＨｇのカラム圧力、および約３：１の還流比で回収した。
【００７５】
第１の蒸留物カットの引火点が測定され、３２．７℃であることが判明した。第１の蒸留物カットが分析され、少なくとも約９８重量％のＣ７〜Ｃ１２ｎ−パラフィンを有し、検出可能な酸素化物、検出可能な芳香族化、および１２個を超える炭素原子を有する検出可能なｎ−パラフィンを有さないことが判明した。
【００７６】
第２の蒸留物カットの引火点が測定され、７８．２℃であることが判明した。第２の蒸留物カットが分析され、少なくとも約９８重量％のＣ７〜Ｃ１２ｎ−パラフィンを有し、検出可能な酸素化物、検出可能な芳香族化、および１２個を超える炭素原子を有する検出可能なｎ−パラフィンを有さないことが判明した。
【００７７】
約５２４グラムの第１の蒸留物カットおよび約１，０９４グラムの第２の蒸留物カットを組み合わせて、０．７４５１６ｇ／ｃｍ３の密度（１５℃）を有する組成物（「組成物Ａ」）を得、測定された引火点は５１．９℃であり、平均曇り点は約−２０．９℃（５つの独立した測定値に基づく平均曇り点）であると測定された。初期分析は、組成物Ａが少なくとも約７５重量％のｎ−パラフィンを有することを示す。Ｄ８６結果を以下に提供する。
組成物ＡのＤ８６結果
2019518823.tif 000004
組成物Ａは非常に高濃度のＣ７〜Ｃ１２ｎ−パラフィンを有するので、より軽質な（低沸点の）線状炭化水素がより低い密度およびより低い引火点の両方を有することが知られているように、組成物は不適切な密度および引火点を有することが予想される。例えば、ｎ−オクタンは、１３℃の引火点および０．７０３ｇ／ｃｍ３の密度を有する。驚くべきことに、組成物Ａは、ＡＳＴＭ  Ｄ７５６６（合成炭化水素を含む航空燃料の標準規格）に示されるように、共に航空燃料の最低規格値（１５℃で０．７３０ｇ／ｍＬの密度および３８℃の引火点）よりもかなり高い密度および引火点を有する。特に、組成物Ａは、ディーゼル燃料（例えば、ＡＳＴＭ  Ｄ  ９７５に準拠した第１号ディーゼル）、ジェット燃料ブレンドストック、およびディーゼル燃料ブレンドストック、ならびに木炭点火流体としても適している。
【００７８】
実施例３−再生可能アークティックディーゼル
再生可能ディーゼルの生成
２つの触媒床を含む固定床水素化加工反応器に２つのタイプの水素化処理触媒を装填した。底部床を高活性ＮｉＭｏ触媒で充填し、上部床を低活性Ｍｏ触媒で充填した。両触媒は、装填時は酸化物形態であり、反応器スタートアップ中に硫化された。
【００７９】
加工されたフィードストックは、商業的に取引されている動物性脂肪、植物油（使用済み調理油を含む）、およびグリース（「ＦＯＧ」フィード）の混合物であった。ＦＯＧフィードは、以下の組成を有した。
使用済み調理油：４６．２重量％
イエローグリース：１０．２重量％
牛脂：３９．２重量％
トウモロコシ油：４．４重量％
【００８０】
反応器を水素で加圧し、約１，８００ｐｓｉｇの圧力（１２４ｂａｒｇ）で制御した。フィードストックを０．７２〜１．１ＬＨＳＶ（ＮｉＭｏ触媒体積当たりのＦＯＧフィード体積／時）に相当する割合で反応器までポンプで送った。フィードストックを加熱炭化水素希釈剤と組み合わせて、５３０°Ｆ（２７７℃）〜５４０°Ｆ（２８２℃）の範囲内の反応器入口温度を達成した。炭化水素希釈剤はＨＤＯ反応の生成物であり、これはフィードと約３：１の比（希釈剤体積：フィード体積）で組み合わされた。水素をフィードおよび希釈剤と共に６，０００ＳＣＦ／ｂｂｌ  ＦＯＧ（８９０Ｎｌ／ｌ）の割合で反応器に導入した。追加の水素を上部床と底部床との間のクエンチガスとして反応器に導入して、出口温度を６５０°Ｆ（３４３℃）〜６８０°Ｆ（３６０℃）の値に制御した。したがって、反応器のＷＡＢＴは、約６１０°Ｆ（３２１℃）〜６３３°Ｆ（３３４℃）であった。水素化脱酸素（ＨＤＯ）生成物を、水素異性化および蒸留によってさらに加工し、ディーゼル燃料規格（「ＦＯＧディーゼル」）を満たす炭化水素生成物を提供した。
【００８１】
実施例２の組成物Ａを利用した再生可能アークティックディーゼルの生成
アークティックディーゼルの生成を、実施例２の組成物Ａを利用することによって調査した。以下の表１に示すように、ＦＯＧディーゼルおよび組成物Ａを異なる体積比率で組み合わせ、曇り点を分析した。示された曇り点の数は、示された組成物についての独立した測定値の数を表す。
【００８２】
【表１】
2019518823.tif 000005
【００８３】
表１に示すように、ＦＯＧディーゼルを本技術の組成物Ａとちょうど７５：２５の体積比で混合すると、ＦＯＧディーゼル：組成物ＡはＥＮ  ５９０のクラス１アークティックディーゼル標準を満たす曇り点を提供する。５０：５０のＦＯＧディーゼル：組成物Ａの体積比は、ＥＮ  ５９０のクラス２アークティックディーゼル標準を満たす曇り点を提供する。最も低い曇り点は、２５：７５のＦＯＧディーゼル：組成物Ａで観察され、約−２８．４℃のこの平均曇り点は、ＥＮ  ５９０のクラス３アークティックディーゼル標準を満たす。ほとんどの曇り点の低下がディーゼルを高度イソパラフィン系組成物または他の添加剤と混合することによって達成されるので、このような結果は驚くべきことである。しかしながら、本技術は、驚くべきことに、（高ｎ−パラフィン含有量組成物Ａの添加を介して）最終組成物中のｎ−パラフィンの量を増加させることによって曇り点の低下をもたらす。
【００８４】
特定の実施形態を図示および説明してきたが、添付の特許請求の範囲に定義されているそのより広範な態様における技術から逸脱することなく、当該技術分野における通常の技術に従って変更および修正を加えることができることを理解されたい。
【００８５】
本明細書で実例として説明される実施形態は、本明細書に具体的には開示されていないいかなる要素または複数の要素、制限または複数の制限の不在下でも適切に実施され得る。したがって、例えば、「を含んでいる（ｃｏｍｐｒｉｓｉｎｇ）」、「を含んでいる（ｉｎｃｌｕｄｉｎｇ）」、「を含有している（ｃｏｎｔａｉｎｉｎｇ）」などの用語は、広範にかつ制限なしで読まれることになっている。さらに、本明細書で採用される用語および表現は、説明の用語として使用されており、制限の用語として使用されてはおらず、このような用語および表現の使用において、示されおよび説明される特徴またはその部分のいかなる等価物も除外することを意図するものではなく、特許請求された技術の範囲内で種々の変更が可能であることが認識される。さらに、「から本質的になる」という句は、具体的に引用される複数の要素、および特許請求される技術の基本的かつ新規の特徴に実質的に影響しない追加の要素を含むよう理解されることになっている。「からなる」という句は、指定されていないいかなる要素も除外する。
【００８６】
本開示は、本出願に記載の特定の実施形態に関して限定されるものではない。多くの修正および変形は、当業者に明らかになるように、その主旨および範囲から逸脱することなく行うことができる。本開示の範囲内の機能的に等価の方法は、本明細書に列挙されたものに加えて、上述の説明から当業者に明らかとなる。このような修正および変形は、添付の特許請求の範囲内に含まれることが意図される。本開示は、添付の特許請求の範囲、およびそのような特許請求の範囲が権利を与えられる等価物の全範囲によってのみ限定されるべきである。本開示が、もちろん変わり得る特定の方法、試薬、化合物組成、または生物系に限定されないことを理解されたい。本明細書で使用される用語は、特定の態様を説明する目的のためのみのものであって、限定を意図するものではないということも理解されたい。
【００８７】
さらに、本開示の特徴または態様が、マーカッシュ群の点で説明されている場合、当業者は、本開示が、マーカッシュ群のいかなる個々のメンバーまたは下位群の点においてもこれにより説明されることを認識することになっている。
【００８８】
当業者によって理解されることになっているように、いかなるおよびすべての目的のために、特に、記載された説明を提供する点で、本明細書で開示された範囲はすべて、その起こり得るいかなるおよびすべての下位範囲およびその下位範囲の組み合わせも包含する。いかなる列挙された範囲も、少なくとも等しい半分、１／３、１／４、１／５、１／１０などへと分解される同じ範囲を十分に説明および可能にするものとして容易に認識することができる。非限定例として、本明細書で考察される各範囲は、下位の１／３、中間の１／３、および上位の１／３などへと容易に分解されることができる。また、当業者によって理解されることになっているように、「最高」、「少なくとも」、「より大きな」、「より小さな」、およびこれらに類するものなどの言葉はすべて、列挙された数を含み、先に考察した下位範囲へと後に分解することができる範囲を指す。最後に、当業者によって理解されることになっているように、範囲は、各個々のメンバーを含む。
【００８９】
本明細書において参照されるすべての公開物、特許出願、発行済みの特許、および他の文書は、各個々の公開物、特許出願、発行済みの特許、または他の文書がその全体が参照により組み込まれるよう具体的におよび個々に示されたかのように、参照により本明細書に組み込まれる。参照により組み込まれる本文中に含まれる定義は、これらの定義が本開示における定義と矛盾しない程度まで除外される。
【００９０】
本技術は、これらに限定されないが、以下の文字を付けた項で述べる特徴および特徴の組み合わせを含むことができ、以下の項は、添付の特許請求の範囲を限定するもの、またはそのような特徴が必ずそのような請求項に含まれなければならないと命令するものとして解釈されるべきではないことを理解されたい。
Ａ．
組成物の少なくとも約１０重量％がｎ−デカンを含み、組成物の少なくとも約２０重量％がｎ−ドデカンを含み、組成物の少なくとも約７５重量％が偶数炭素数パラフィンを含む、少なくとも約９８重量％のＣ７〜Ｃ１２ｎ−パラフィンと、
約０．１重量％未満の酸素化物と、
約０．１重量％未満の芳香族と
を含む、組成物。
Ｂ．
組成物の少なくとも約７５重量％が、偶数炭素数ｎ−パラフィンを含む、Ａ項に記載の組成物。
Ｃ．
組成物が、少なくとも約９９重量％のＣ７〜Ｃ１２ｎ−パラフィンを含む、項Ａまたは項Ｂに記載の組成物。
Ｄ．
組成物が、少なくとも約９９．５重量％のＣ７〜Ｃ１２ｎ−パラフィンを含む、項Ａ〜Ｃのいずれか１つに記載の組成物。
Ｅ．
組成物が、約０．０１重量％未満の酸素化物を含む、項Ａ〜Ｄのいずれか１つに記載の組成物。
Ｆ．
組成物の少なくとも約２０重量％が、ｎ−オクタンを含む、項Ａ〜Ｅのいずれか１つに記載の組成物。
Ｇ．
Ｃ１２パラフィン対Ｃ７パラフィンの重量比が、約１５０：１以上である、項Ａ〜Ｆのいずれか１つに記載の組成物。
Ｈ．
Ｃ１２パラフィン対Ｃ９パラフィンの重量比が、約１０：１以上である、項Ａ〜Ｇのいずれか１つに記載の組成物。
Ｉ．
Ｃ１２パラフィン対Ｃ１１パラフィンの重量比が、約３．０：１〜約１．２：１である、項Ａ〜Ｈのいずれか１つに記載の組成物。
Ｊ．
Ｃ１０パラフィン対Ｃ７パラフィンの重量比が、約１５０：１以上である、項Ａ〜Ｉのいずれか１つに記載の組成物。
Ｋ．
Ｃ１０パラフィン対Ｃ９パラフィンの重量比が、約１０：１以上である、項Ａ〜Ｊのいずれか１つに記載の組成物。
Ｌ．
Ｃ１０パラフィン対Ｃ１１パラフィンの重量比が、約２．０：１〜約０．５：１である、項Ａ〜Ｋのいずれか１つに記載の組成物。
Ｍ．
Ｃ１２パラフィン対Ｃ１０パラフィンの重量比が、約２．０：１〜約０．５：１である、項Ａ〜Ｌのいずれか１つに記載の組成物。
Ｎ．
組成物が、パーム核油、ヤシ油、ババス油、微生物油、または藻類油のうちの少なくとも１つを含むバイオ再生可能フィードストックを水素化処理することによって生成される、項Ａ〜Ｍのいずれか１つに記載の組成物。
Ｏ．
組成物が、ディーゼル燃料、ディーゼル燃料添加剤、ディーゼル燃料ブレンドストック、タービン燃料、タービン燃料添加剤、タービン燃料ブレンドストック、航空燃料、航空燃料添加剤、航空燃料ブレンドストック、ポータブル加熱器用燃料、ポータブル発電機用燃料、木炭ライター流体、またはこれらのいずれか２つ以上の組み合わせとして適している、項Ａ〜Ｎのいずれか１つに記載の組成物。
Ｐ．
木材チャー、
バインダー、
木炭の外面、および
任意で木炭内の複数の細孔
を含む、木炭と、
少なくとも木炭の外面上に配置された項Ａ〜Ｏのいずれか１つに記載の組成物と
を含む、木炭加熱材料。
Ｑ．
組成物が、複数の細孔の少なくとも一部分の内部にさらに配置される、項Ｐに記載の木炭加熱材料。
Ｒ．
木炭が、チャー製造から生じるおがくずおよび微粉のうちの１つ以上をさらに含む、項Ｐまたは項Ｑに記載の木炭加熱材料。
Ｓ．
木炭加熱材料が、木炭ブリケットまたは木炭ログである、項Ｐ〜Ｒのいずれか１つに記載の木炭加熱材料。
Ｔ．
項Ａ〜Ｏのいずれか１つに記載の組成物を生成する方法であって、
バイオ再生可能フィードストックを含むフィードストリームを固定床水素化処理反応器において水素化処理触媒と接触させて水素化処理生成物を生成することと、
水素化処理生成物を分留して組成物を生成することと
を含み、
バイオ再生可能フィードストックが、パーム核油、ヤシ油、ババス油、微生物油、または藻類油のうちの少なくとも１つを含み、
固定床水素化処理反応器が、
約７５０°Ｆ未満の温度であり、
約２００ｐｓｉｇ〜約４，０００ｐｓｉｇの圧力である、方法。
Ｕ．
固定床水素化処理反応器を通るバイオ再生可能フィードストックの時間あたりの液空間速度が、約０．２ｈｒ−１〜約１０．０ｈｒ−１である、項Ｔに記載の方法。
Ｖ．
バイオ再生可能フィードストックが、動物性脂肪、動物性油、植物性脂肪、植物性油、植物脂肪、植物油、またはグリースをさらに含む、項Ｔまたは項Ｕに記載の方法。
Ｗ．
バイオ再生可能フィードストックが、動物性脂肪、家禽油、大豆油、キャノーラ油、カリナタ油、ナタネ油、パーム油、ヤトロファ油、ヒマシ油、カメリナ油、海藻油、好塩性生物油、精製脂肪、レストラングリース、ブラウングリース、イエローグリース、廃工業用揚げ油、魚油、トール油、およびトール油脂肪酸のうちの１つ以上をさらに含む、項Ｔ〜Ｖのいずれか１つに記載の方法。
Ｘ．
バイオ再生可能フィードストックが、カリナタ油、動物性脂肪、レストラングリース、ブラウングリース、イエローグリース、および廃工業用揚げ油のうちの１つ以上をさらに含む、項Ｔ〜Ｗのいずれか１つに記載の方法。
Ｙ．
フィードストリームが、希釈剤をさらに含み、希釈剤対バイオ再生可能フィードストックの体積比が、約０．５：１〜約２０：１の範囲内に含まれる、項Ｔ〜Ｘのいずれか１つに記載の方法。
Ｚ．
方法が、水素化処理生成物を分留して、組成物と、少なくとも約９０重量％のＣ１４〜Ｃ２２ｎ−パラフィンを含む１つ以上のＣ１４〜Ｃ２２ｎ−パラフィン留分とを生成することを含む、項Ｔ〜Ｙのいずれか１つに記載の方法。
ＡＡ．
１つ以上のＣ１４〜Ｃ２２ｎ−パラフィン留分が、少なくとも約９０重量％のＣ１４〜Ｃ１６ｎ−パラフィンを含む留分を含む、項Ｚに記載の方法。
ＡＢ．
１つ以上のＣ１４〜Ｃ２２ｎ−パラフィン留分が、少なくとも約９０重量％のＣ１４〜Ｃ１８ｎ−パラフィンを含む留分を含む、項Ｚに記載の方法。
ＡＣ．
１つ以上のＣ１４〜Ｃ２２ｎ−パラフィン留分が、少なくとも約９０重量％のＣ１６〜Ｃ１８ｎ−パラフィンを含む留分を含む、項Ｚに記載の方法。
ＡＤ．
１つ以上のＣ１４〜Ｃ２２ｎ−パラフィン留分が、少なくとも約９０重量％のＣ１８〜Ｃ２０ｎ−パラフィンを含む留分を含む、項Ｚに記載の方法。
ＡＥ．
１つ以上のＣ１４〜Ｃ２２ｎ−パラフィン留分が、少なくとも約９０重量％のｎ−テトラデカンを含む留分を含む、項Ｚに記載の方法。
ＡＦ．
１つ以上のＣ１４〜Ｃ２２ｎ−パラフィン留分が、少なくとも約９０重量％のｎ−ヘキサデカンを含む留分を含む、項Ｚまたは項ＡＥに記載の方法。
ＡＧ．
１つ以上のＣ１４〜Ｃ２２ｎ−パラフィン留分が、少なくとも約９０重量％のｎ−オクタデカンを含む留分を含む、項Ｚ、ＡＥ、およびＡＦのいずれか１つに記載の方法。
ＡＨ．
１つ以上のＣ１４〜Ｃ２２ｎ−パラフィン留分が、少なくとも約９０重量％のｎ−イコサンを含む留分を含む、項ＺおよびＡＥ〜ＡＧのいずれか１つに記載の方法。
ＡＩ．
１つ以上のＣ１４〜Ｃ２２ｎ−パラフィン留分が、少なくとも約９０重量％のｎ−ドコサンを含む留分を含む、項ＺおよびＡＥ〜ＡＨのいずれか１つに記載の方法。
ＡＪ．
方法が、水素化処理生成物を分留して、組成物と、２つ以上のＣ１４〜Ｃ２２ｎ−パラフィン留分とを生成することを含み、各Ｃ１４〜Ｃ２２ｎ−パラフィン留分が、少なくとも約９０重量％のＣ１４〜Ｃ２２ｎ−パラフィンを独立して含む、項Ｔ〜ＡＩのいずれか１つに記載の方法。
ＡＫ．
２つ以上のＣ１４〜Ｃ２２ｎ−パラフィン留分が、
少なくとも約９０重量％のｎ−テトラデカンを含む留分と、
少なくとも約９０重量％のｎ−ヘキサデカンを含む留分と、
少なくとも約９０重量％のｎ−オクタデカンを含む留分と、を含む、項ＡＪに記載の方法。
ＡＬ．
１つ以上のＣ１４〜Ｃ２２ｎ−パラフィン留分が、相変化材料として適している、項Ｚ〜ＡＫのいずれか１つに記載の方法。
ＡＭ．
項Ｚ〜ＡＫのいずれか１つに記載のＣ１４〜Ｃ２２ｎ−パラフィン留分、または項Ｚ〜ＡＫのいずれかの１つに記載の２つ以上のＣ１４〜Ｃ２２ｎ−パラフィン留分の組み合わせを含む、相変化材料。
ＡＯ．
項Ａ〜Ｏのいずれか１つに記載の組成物と、
石油系燃料および／または合成燃料と
を含む、ブレンド燃料。
ＡＰ．
ブレンド燃料が、約１重量％〜約８０重量％の組成物を含む、項ＡＯに記載のブレンド燃料。
ＡＱ．
石油系燃料および／または合成燃料が、各々独立して、ディーゼル燃料、タービン燃料、航空燃料、またはこれらのいずれか２つ以上の組み合わせであり得る、項ＡＯまたは項ＡＰに記載のブレンド燃料。
ＡＲ．
ブレンド燃料が、約−１０℃未満の曇り点を含む、項ＡＯ〜ＡＱのいずれか１つに記載のブレンド燃料。
ＡＳ．
ブレンド燃料が、約−４０℃未満の析出点を含む、項ＡＯ〜ＡＲのいずれか１つに記載のブレンド燃料。
ＡＴ．
ブレンド燃料が、ディーゼル燃料、航空燃料、またはこれらの組み合わせである、項ＡＯ〜ＡＳのいずれか１つに記載のブレンド燃料。
ＡＵ．
ブレンド燃料が、ウィンターディーゼルおよび／またはアークティックディーゼル燃料としての使用に適している、項ＡＯ〜ＡＴのいずれか１つに記載のブレンド燃料。
ＡＶ．ブレンド燃料が、ジェット燃料としての使用に適している、項ＡＯ〜ＡＵのいずれか１つに記載のブレンド燃料。
ＡＷ．
項Ａ〜Ｏのいずれか１つに記載の組成物と石油系燃料および／または合成燃料とを組み合わせてブレンド燃料を生成することを含む、ブレンド燃料を生成するための方法。
ＡＸ．
ブレンド燃料が、約１重量％〜約８０重量％の組成物を含む、項ＡＷに記載の方法。
ＡＹ．
ブレンド燃料が、約１体積％〜約８０体積％の組成物を含む、項ＡＷに記載の方法。
ＡＺ．
石油系燃料および／または合成燃料が、各々独立して、ディーゼル燃料、タービン燃料、航空燃料、またはこれらのいずれか２つ以上の組み合わせであり得る、項ＡＷ〜ＡＹのいずれか１つに記載の方法。
ＢＡ．
ブレンド燃料が、約−１０℃未満の曇り点を含む、項ＡＷ〜ＡＺのいずれか１つに記載の方法。
ＢＢ．
ブレンド燃料が、約−４０℃未満の析出点を含む、項ＡＷ〜ＢＡのいずれか１つに記載の方法。
ＢＣ．
ブレンド燃料が、ディーゼル燃料、航空燃料、またはこれらの組み合わせである、項ＡＷ〜ＢＢのいずれか１つに記載の方法。
ＢＤ．
ブレンド燃料が、ウィンターディーゼルおよび／またはアークティックディーゼル燃料としての使用に適している、項ＡＷ〜ＢＣのいずれか１つに記載の方法。
ＢＥ．
ブレンド燃料が、ジェット燃料としての使用に適している、項ＡＷ〜ＢＤのいずれか１つに記載の方法。
【００９１】
他の実施形態は、後続の特許請求の範囲に記載されている。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
組成物の少なくとも約１０重量％がｎ−デカンを含み、組成物の少なくとも約２０重量％がｎ−ドデカンを含み、組成物の少なくとも約７５重量％が偶数炭素数パラフィンを含む、少なくとも約９８重量％のＣ７〜Ｃ１２ｎ−パラフィンと、
約０．１重量％未満の酸素化物と、
約０．１重量％未満の芳香族と
を含む、組成物。
【請求項２】
組成物の少なくとも約７５重量％が、偶数炭素数ｎ−パラフィンを含む、請求項１に記載の組成物。
【請求項３】
前記組成物が、約０．０１重量％未満の酸素化物を含む、請求項１または請求項２に記載の組成物。
【請求項４】
前記組成物の少なくとも約２０重量％が、ｎ−オクタンを含む、請求項１〜３のいずれか一項に記載の組成物。
【請求項５】
Ｃ１２パラフィン対Ｃ７パラフィンの重量比が、約１５０：１以上である、請求項１〜４のいずれか一項に記載の組成物。
【請求項６】
Ｃ１２パラフィン対Ｃ９パラフィンの重量比が、約１０：１以上である、請求項１〜５のいずれか一項に記載の組成物。
【請求項７】
Ｃ１２パラフィン対Ｃ１１パラフィンの重量比が、約３．０：１〜約１．２：１である、請求項１〜６のいずれか一項に記載の組成物。
【請求項８】
Ｃ１０パラフィン対Ｃ７パラフィンの重量比が、約１５０：１以上である、請求項１〜７のいずれか一項に記載の組成物。
【請求項９】
Ｃ１０パラフィン対Ｃ９パラフィンの重量比が、約１０：１以上である、請求項１〜８のいずれか一項に記載の組成物。
【請求項１０】
Ｃ１０パラフィン対Ｃ１１パラフィンの重量比が、約２．０：１〜約０．５：１である、請求項１〜９のいずれか一項に記載の組成物。
【請求項１１】
Ｃ１２パラフィン対Ｃ１０パラフィンの重量比が、約２．０：１〜約０．５：１である、請求項１〜１０のいずれか一項に記載の組成物。
【請求項１２】
前記組成物が、ディーゼル燃料、ディーゼル燃料添加剤、ディーゼル燃料ブレンドストック、タービン燃料、タービン燃料添加剤、タービン燃料ブレンドストック、航空燃料、航空燃料添加剤、航空燃料ブレンドストック、ポータブル加熱器用燃料、ポータブル発電機用燃料、木炭ライター流体、またはこれらのいずれか２つ以上の組み合わせとして適している、請求項１〜１１のいずれか一項に記載の組成物。
【請求項１３】
木材チャー、
バインダー、
木炭の外面、および
任意で木炭内の複数の細孔
を含む、木炭と、
少なくとも前記木炭の前記外面上に配置された請求項１〜１２のいずれか一項に記載の組成物と
を含む、木炭加熱材料。
【請求項１４】
請求項１〜１２のいずれか一項に記載の組成物を生成する方法であって、前記方法が、
バイオ再生可能フィードストックを含むフィードストリームを固定床水素化処理反応器において水素化処理触媒と接触させて水素化処理生成物を生成することと、
前記水素化処理生成物を分留して前記組成物を生成することと
を含み、
前記バイオ再生可能フィードストックが、パーム核油、ヤシ油、ババス油、微生物油、または藻類油のうちの少なくとも１つを含み、
前記固定床水素化処理反応器が、
約７５０°Ｆ未満の温度であり、
約２００ｐｓｉｇ〜約４，０００ｐｓｉｇの圧力であり；
任意で、前記固定床水素化処理反応器を通る前記バイオ再生可能フィードストックの時間あたりの液空間速度が、約０．２ｈｒ−１〜約１０．０ｈｒ−１であり；
任意で、前記方法が、前記水素化処理生成物を分留して、前記組成物と、少なくとも約９０重量％のＣ１４〜Ｃ２２ｎ−パラフィンを含む１つ以上のＣ１４〜Ｃ２２ｎ−パラフィン留分とを生成することを含み；
任意で、前記１つ以上のＣ１４〜Ｃ２２ｎ−パラフィン留分が、
少なくとも約９０重量％のｎ−ヘキサデカンを含む留分、
少なくとも約９０重量％のｎ−オクタデカンを含む留分、
少なくとも約９０重量％のｎ−イコサンを含む留分、および
少なくとも約９０重量％のｎ−ドコサンを含む留分
のうち１つ以上を含む、前記方法。
【請求項１５】
請求項１〜１２のいずれか一項に記載の組成物と、
石油系燃料および／または合成燃料と
を含む、ブレンド燃料。
【請求項１６】
請求項１〜１２のいずれか一項に記載の組成物と石油系燃料および／または合成燃料とを組み合わせてブレンド燃料を生成することを含む、ブレンド燃料を生成するための方法。
【国際調査報告】
2019518823.tif 000006
2019518823.tif 000007